(57)【特許請求の範囲】
【請求項１】
複数の走査電極と複数の信号電極とが交差配置されて構成され、表示画面を部分的に表示領域とする機能を有する電気光学装置の駆動方法において、
前記表示領域の走査電極には、選択期間に選択電圧を印加すると共に非選択期間に非選択電圧を印加し、且つ
非表示領域の走査電極には、前記選択電圧を印加せずに前記非選択電圧を印加すると共に、前記非表示領域の信号電極については、前記表示領域における最後の行の走査電極を選択している時の前記信号電極に印加されている電圧を継続し、全画面表示状態時の前記電気光学装置の極性反転駆動における同一極性駆動期間よりも少なくとも長い期間は印加電圧を固定することにより、前記表示画面を部分表示状態とする
ことを特徴とする電気光学装置の駆動方法。
【請求項２】
請求項１において、前記全画面表示状態の時の極性反転駆動における同一極性駆動期間よりも少なくとも長い期間毎に、前記信号電極への印加電圧を、全画面表示状態においてオン表示させる場合の電位とオフ表示させる場合の電位に交互に切り替えることを特徴とする電気光学装置の駆動方法。
【請求項３】
請求項１または２に記載の電気光学装置は、単純マトリクス型液晶表示装置であることを特徴とする電気光学装置の駆動方法。
【請求項４】
請求項１乃至３のいずれか一項に記載の電気光学装置の駆動方法によって駆動されることを特徴とする電気光学装置。
【請求項５】
請求項４に記載の電気光学装置を、表示装置として用いてなることを特徴とする電子機器。
【発明の詳細な説明】
【０００１】
【発明の属する技術分野】
本発明は、表示画面中の一部だけを表示状態とし他部を非表示状態にすることができる機能を有した電気光学装置及びその駆動方法に関する。また、本発明は、電気光学装置として液晶表示装置を用い、表示に違和感が無く低消費電力の部分表示状態を可能とする液晶表示装置の駆動方法及びそれにより表示される液晶表示装置に関する。また、本発明の電気光学装置を駆動するに適した駆動回路に関する。
【０００２】
さらに、これらの電気光学装置及び液晶表示装置を表示装置に用いる電子機器に関する。
【０００３】
【従来の技術】
携帯電話等の携帯型電子機器に用いられている表示装置にあっては、より多くの情報が表示できるように表示ドット数が年々増加して来ており、それに伴い表示装置による消費電力も増大して来ている。携帯型電子機器の電源は一般には電池であるため、電池寿命が長くできるように表示装置には低消費電力であることが強く求められる。そのため、表示ドット数が多い表示装置においては必要な時には全画面を表示状態とする一方、通常時は消費電力が低減出来るように表示パネルの一部の領域だけを表示状態とし、他の領域を非表示状態とする方法が検討され始めている。また、携帯型電子機器の表示装置は、やはり低消費電力の必要性から、表示パネルは反射型または、反射モード時の見栄えを重視した半透過型の液晶表示パネルが用いられている。
【０００４】
従来の液晶表示装置においては、全画面の表示／非表示が制御できる機能を持つものは多いが、全画面の内の一部だけを表示状態とし、他の部分を非表示状態にする機能を持つものはまだ実用化されていない。液晶表示パネルの一部の行だけを表示状態とし、他の行を非表示状態にすることができる機能を実現する方法としては特許文献１及び特許文献２が提案されている。この２つの提案は共に部分表示の場合と全画面表示の場合とで表示デューティを変えるとともに、各デューティに合った駆動電圧とバイアス比に変えるという方法である。
【０００５】
図１９〜図２１を用いて特許文献１の駆動方法を以下に説明する。図１９はこの従来例の液晶表示装置のブロック図である。ブロック５１は液晶表示パネル（ＬＣＤパネル）であり、複数の走査電極を形成した基板と複数の信号電極を形成した基板とが数μｍの間隔で対向して配置され、その間隙には液晶が封入されている。行方向に配置される走査電極と列方向に配置される信号電極の交差部の液晶により、画素（ドット）がマトリクス状に配置される。ブロック５２は走査電極を駆動する走査電極用駆動回路（Ｙドライバ）であり、ブロック５３は信号電極を駆動する信号電極用駆動回路（Ｘドライバ）である。液晶の駆動に必要な複数の電圧レベルはブロック５４の駆動電圧形成回路で形成され、  Ｘドライバ５３とＹドライバ５２を経由して液晶表示パネル５１に印加される。
ブロック５７は走査すべき走査電極数を制御する走査制御回路である。ブロック５５はそれらの回路に必要な信号を供給するコントローラであり、ＦＲＭはフレーム開始信号、ＣＬＹは走査信号転送用クロック、ＣＬＸはデータ転送用クロック、Ｄａｔａは表示データ、ＬＰはデータラッチ信号、ＰＤは部分表示制御信号である。ブロック５６は以上の回路の電力供給源である。
【０００６】
この従来例は部分表示が左半画面の場合と、さらにその内の上半画面分の場合について述べているが、ここでは後者の上半画面分の行を表示状態とし下半画面分の行を非表示状態とするという場合について説明する。走査電極の数は４００本とする。コントローラ５５は部分表示制御信号ＰＤを“Ｈ”レベルにして下半画面を非表示状態とする。制御信号ＰＤが“Ｌ”レベルの場合には１／４００デューティで全走査電極を走査することにより全画面が表示状態となり、制御信号ＰＤが“Ｈ”レベルの場合にはパネルの上半分の走査電極だけを１／２００デューティで走査することにより上半画面が表示状態で残りの下半画面が非表示状態という部分表示状態となる。１／２００デューティへの切り替えは走査信号転送用クロックＣＬＹの周期を２倍に切り替えて１フレーム期間内のクロック数を半減することによって行っている。部分表示状態における下半画面の走査電極の走査停止方法の詳細は記載されていないが、走査制御回路ブロック５７の内部回路図から判断すると、制御信号ＰＤを“Ｈ”レベルにするとＹドライバ内のシフトレジスタの２００段目から２０１段目に転送するデータが“Ｌ”レベルに固定され、その結果２０１番目〜４００番目の走査電極に供給されるＹドライバの２０１番目〜４００番目の出力が非選択電圧レベルを保つという方法である。
【０００７】
図２０はこの従来例の部分表示状態において走査電極１本置きに横線を表示した場合の駆動電圧波形の例である。Ａは上半画面のある１つの画素に印加される電圧波形であり、Ｂは下半画面の全画素に印加される電圧波形である。図中の波形Ａ，Ｂにおける太線は走査電極駆動波形、細線は信号電極駆動波形を示す。
【０００８】
上半画面の走査電極には選択期間（１水平走査期間：１Ｈ）毎に順次１行ずつ選択電圧Ｖ０（又はＶ５）が印加され、その他の行の走査電極には非選択電圧Ｖ４（又はＶ１）が印加される。信号電極には選択されている行の各画素のオン／オフ情報が水平走査期間に同期して順次印加される。より具体的には、選択行の走査電極への印加電圧がＶ０の間は選択行のオン画素の信号電極にはＶ５が、オフ画素の信号電極にはＶ３が印加される。また、選択行の走査電極への印加電圧がＶ５の間は選択行のオン画素の信号電極にはＶ０が、オフ画素の信号電極にはＶ２が印加される。各画素の液晶に加わる電圧は、走査電極に印加される走査電圧（選択電圧及び非選択電圧）と信号電極に印加される信号電圧（オン電圧及びオフ電圧）との差電圧であり、基本的にはこの差電圧の実効電圧が高い画素はオンとなり、低い画素はオフとなる。
【０００９】
一方、下半画面の画素の実効電圧は、図２０のＢに示すように走査電極に選択電圧が全く加わらないために、上半画面のオフ画素に加わる実効電圧よりもかなり小さくなり、その結果、下半画面は完全に非表示状態となる。
【００１０】
液晶交流駆動信号Ｍで示すように、図２０は１３行分の選択期間毎に駆動電圧の信号極性切り替えを行う図となっている。ちらつきやクロストークを低減するために高デューティ駆動の場合は、このように十数行分の選択期間毎に駆動電圧の信号極性切り替えを行う必要がある。下半画面は非表示となってはいるが、非表示領域の走査電極や信号電極に加わる電圧が図２０のＢに示したように変化しているため、部分表示状態になっても、ドライバ等の回路は動作し画素の液晶も充放電されており、消費電力がそれほど低減しないという欠点がある。
【００１１】
なお、単純マトリクス方式の液晶表示パネルにおいては、表示デューティを切り替える場合には駆動電圧の設定変更が必要となる。以下にこの点を駆動電圧形成ブロック５４の内部回路である図２１を用いて説明する。
【００１２】
まず図２１の構成と機能について述べる。約１／３０デューティよりも高デューティの液晶表示パネルを駆動するにはＶ０〜Ｖ５の６レベルの電圧が必要になる。液晶に印加される最大電圧はＶ０−Ｖ５であり、Ｖ０には＋５Ｖの入力電源電圧をそのまま用いる。コントラスト調整用の可変抵抗ＲＶ１とトランジスタＱ１とにより０Ｖと−２４Ｖの入力電源からコントラストが最適となる電圧Ｖ５を取り出す。抵抗Ｒ１〜Ｒ５によりＶ０−Ｖ５の電圧を分圧して中間電圧を形成し、それらの中間電圧をオペアンプＯＰ１〜ＯＰ４で駆動能力を上げＶ１〜Ｖ４を出力する。スイッチＳ２ａとＳ２ｂは連動スイッチであり信号ＰＤのレベルに応じてＲ３ａとＲ３ｂのどちらか一方がＲ２・Ｒ４と直列接続状態となる。Ｒ３ａとＲ３ｂの抵抗値を異ならせておくことにより、ＰＤのレベルに応じて異なる分圧比のＶ０〜Ｖ５を形成することができる。
【００１３】
Ｖ０〜Ｖ５の間にはＶ０−Ｖ１＝Ｖ１−Ｖ２＝Ｖ３−Ｖ４＝Ｖ４−Ｖ５という関係があり、電圧分割比（Ｖ０−Ｖ１）／（Ｖ０−Ｖ５）をバイアス比と呼ぶ。デューティを１／Ｎとする時、好ましいバイアス比は１／（１＋√Ｎ）であることが特公昭５７−５７７１８号において開示されている。従ってＲ３ａとＲ３ｂの抵抗値を各々１／４００デューティ用と１／２００デューティ用に設定しておけば、各デューティにおいて好ましいバイアス比で駆動することができる。
【００１４】
デューティを切り替える場合には、バイアス比の切り替えだけでなく同時に駆動電圧（Ｖ０−Ｖ５）の変更も必要である。駆動電圧を固定したままデューティを１／４００から１／２００に切り替えると、バイアス比を好ましい値に切り替えてもコントラストが著しく悪い表示となってしまう。これは選択電圧が液晶に加わっている時間が２倍になるために液晶に加わる実効電圧が高くなりすぎてしまうことによる。従来例ではバイアス比の切り替えの必要性とその実現手段については詳細に記載されているのに対して、駆動電圧切り替えの必要性とその実現手段については詳細な記載が無い。
【００１５】
具体的にはデューティを１／Ｎとすると、Ｎ＞＞１の場合は（Ｖ０−Ｖ５）をほぼ√Ｎに比例して調整する必要がある。たとえば１／４００デューティの場合の最適な（Ｖ０−Ｖ５）を仮に２８Ｖとすると、１／２００デューティの場合には（Ｖ０−Ｖ５）を２８Ｖ／√２≒２０Ｖに調整する必要がある。この電圧調整は全画面表示状態と上半画面表示状態とを切り替える都度にコントラスト調整用可変抵抗ＲＶ１を装置使用者が調整することによって行うことになるが、それは装置使用者にとっては大変不便なことである。駆動電圧自動設定手段の追加が必須であるが、バイアス比切り替え手段ほど容易ではないため駆動電圧形成回路は大幅に複雑化することになる。なお、この従来刊行物には半画面表示においては駆動電圧が小さくて済むのでさらに低消費電力化できると記載されているが、下がる電圧８Ｖはコントラスト調整用トランジスタＱ１を発熱させるのにかなりの部分が費やされてしまうため、消費電力はそれほどには下がらない。
【００１６】
部分表示が十数行〜２０行前後とかなり小さい場合は、それに合わせてデューティを切り替えると、好ましいバイアス比が１／３や１／４となる。液晶の駆動に必要な電圧は６レベルではなく１／４バイアスの場合は５レベル、１／３バイアスの場合には４レベルとなる。５レベルの電圧が必要な場合は抵抗Ｒ３ａとＲ３ｂの内の部分表示時に接続される側の抵抗値を０Ωにしておけばよいが、４レベルの電圧が必要な場合には抵抗Ｒ３ａ又はＲ３ｂではなく、抵抗Ｒ２及びＲ４を０Ωにする手段が必要となる。特許文献２はこうした場合のバイアス比の切り替え手段及び駆動電圧の切り替え手段について述べているが、ここではその構成についてこれ以上の説明は省略する。
【００１７】
前述したこれまでに提案されている方法により、液晶表示パネルの一部の行だけを表示状態とし、他の行を非表示状態にする機能自体は可能となり、消費電力もある程度まで下げることは出来る。但し、駆動電圧形成回路がかなり複雑化したり、部分表示できる行数がハード的に限定されてしまったり、低消費電力化がまだ不十分であるという問題がある。
【００１８】
また、特許文献１は透過型の液晶表示パネルに関するものであり、特許文献２は部分表示の方法を述べているのみであって表示形態ついては開示していない。しかし、透過型であれ反射型であれ液晶表示装置において高コントラストであることを重視する場合には、従来ではノーマリーブラック型の表示パネルを採用していた。この理由は次の通りである。
ノーマリーホワイト型の場合には電圧が印加されないドット間の間隙が白くなるので、画面内の白表示部は十分に白くなるが、黒表示部は十分に黒くはならないのに対し、ノーマリーブラック型の場合には電圧が印加されないドット間の間隙が黒くなるので、黒表示部は十分に黒くなるが、白表示部は十分に白くはならない。白表示部が十分に白であるよりも黒表示部が十分に黒である方がコントラストの高い表示になるので、ノーマリーブラック型の表示パネルを採用した方が高いコントラストが得られることになる。
【００１９】
なお、ノーマリーブラック型とは、液晶に印加する実効電圧が液晶の閾値より低いオフ電圧であった場合に黒表示となり、印加電圧を大きくして液晶の閾値より高いオン電圧を印加すると白表示となるモードである。一方、ノーマリーホワイト型とは、液晶に印加する実効電圧が液晶の閾値より低いオフ電圧であった場合に白表示となり、実効電圧を大きくして液晶の閾値より高いオン電圧を印加すると黒表示となるモードである。たとえば、ほぼ９０度ねじれのツイステッドネマチック型液晶を用いた場合、液晶表示パネルは一対の偏光板をパネルの両面側に有しており、一対の偏光板の透過軸を略平行に配置するとノーマリーブラック型、略直交させて配置するとノーマリーホワイト型となる。
【００２０】
図１８はノーマリーブラック型の液晶表示パネル１０７を用いた場合の部分表示状態を示す図である。非表示領域の液晶にはオフ電圧あるいはそれ以下の実効電圧が印加されるため、図の様に非表示領域が黒の表示になる。一方、反射型液晶表示パネルにおいては、入射光を反射して明るく見易い表示にするために文字を黒表示とし、背景を白表示にする必要がある。しかしながら、ノーマリーブラック型の反射型液晶表示パネルでは、表示領域の背景が白であるのに対して非表示領域が黒という違和感のある部分表示状態となる。更に、表示画面上の表示領域と非表示領域との境界に位置する表示ドットでは、表示領域側の文字を構成するドットの黒表示と非表示領域側のドットの黒表示とが隣接ドットとなって、視認する上ではつながってしまうため、表示領域における非表示領域との境界部分の表示ドットに表示された文字が非常に読みづらいという問題もある。違和感が無いように非表示領域を白表示にするためには非表示領域の液晶にオン電圧を印加する必要があるが、それでは基本的に非表示であるべき領域が非表示状態とは言えない。仮に非表示領域を白表示にしようとした場合には、それを実現するための回路の消費電力が低減できないだけでなく、ネマチック液晶のようにオフ状態で液晶分子が水平方向に配列しオン状態で立ち上がるケースでは、オン状態の液晶の誘電率がオフ状態の液晶の誘電率の２〜３倍も大きいので、非表示領域を白表示しようとして液晶をオン状態に駆動すると、液晶層の交流駆動に伴う充放電電流が大きくなり、表示装置全体としての消費電力は全画面表示状態の時と比べてそれほど低減しないか、逆に大きくなってしまうという問題が発生する。
【００２１】
前述したように、コントラスト向上のために単純にノーマリーブラック型の表示パネルを採用すると、部分表示状態では非表示領域が黒という違和感のある表示になってしまう。また、非表示領域を違和感の無い白表示にしようとした場合には、基本的に部分表示機能が実現されているとは言い難い上に、消費電力低減という目的も果たせない。
【００２２】
そこで本発明は、以上の従来技術における課題を解消し、部分表示時に消費電力が大幅に低減する電気光学装置を提供することを目的とする。また、部分表示機能のために駆動電圧形成回路を複雑化させること無く、かつ、部分表示の大きさや位置がソフト的に設定できる汎用性の高い電気光学装置を提供することを目的とする。
【００２３】
また、電気光学装置として液晶表示装置を用いた場合において、部分表示状態において違和感の無い表示を実現すると同時に消費電力を著しく低減することが可能な液晶表示装置を提供することを目的とする。
【００２４】
また、本発明の電気光学装置を駆動するに適した駆動回路の構成を提供することを目的とする。
【００２５】
また、これらの部分表示機能を有する電気光学装置や液晶表示装置を表示装置に用いることによって、低消費電力化した電子機器を提供することを目的とする。
【特許文献１】
特開平６−９５６２１号公報
【特許文献２】
特開平７−２８１６３２号公報
【００２６】
【課題を解決するための手段】
本発明は、複数の走査電極と複数の信号電極とが交差配置されて構成され、表示画面を部分的に表示領域とする機能を有する電気光学装置の駆動方法において、前記表示領域の走査電極には、選択期間に選択電圧を印加すると共に非選択期間に非選択電圧を印加し、且つ前記表示領域の走査電極の選択期間以外の期間には、全ての走査電極への印加電圧を固定すると共に全ての信号電極への印加電圧を少なくとも所定期間は固定することにより、前記表示画面を部分表示状態とすることを特徴とする。本発明によれば、一部領域のみを表示領域とする部分表示の場合には、全走査電極及び全信号電極の電位が少なくとも所定期間は固定されるため、電気光学材料である液晶層や電極の駆動回路等での充放電がなされない期間が発生し、その分、低消費電力となる。
【００２７】
さらに、上記本発明の電気光学装置の駆動方法において、全ての走査電極への印加電圧を固定した期間における走査電極の電圧を前記非選択電圧とすることが好ましい。部分表示の場合に固定する走査電極の電圧は非選択電圧であるので、簡単な回路で駆動回路を構成することができる。
【００２８】
さらに、上記本発明の電気光学装置の駆動方法において、前記非選択電圧は１レベルであることが好ましい。非表示領域のアクセス期間中は、非選択電圧を１レベルに固定できるので電圧変化が無く、低消費電力とすることができる。
【００２９】
さらに、上記本発明の電気光学装置の駆動方法において、前記走査電極及び前記信号電極に印加される駆動電圧の形成回路は、全ての走査電極及び全ての信号電極に対するそれぞれの印加電圧を固定する期間には、動作停止することが好ましい。さらに具体的には、前記駆動電圧形成回路は、複数のコンデンサの接続をクロックに応じて切り替えて昇圧電圧又は降圧電圧を生成するチャージ・ポンプ回路を有し、該チャージ・ポンプ回路は、全ての走査電極及び全ての信号電極に対するそれぞれの印加電圧を固定する期間には、動作停止されることが好ましい。そうすることにより、部分表示状態の期間では、駆動電圧形成回路での消費電力を低減することができる。電圧の昇圧／降圧にチャージ・ポンプ回路を用いている場合には、コンデンサを切り替えるタイミングクロックを停止するなどして、無駄な消費電力を低減することができる。
【００３０】
以上の本発明に関し、非選択電圧が１レベルのみという単純マトリクス型液晶表示装置の駆動方法の１つは、複数行の走査電極が同時に選択されるＭＬＳ（Ｍｕｌｔｉ−Ｌｉｎｅ−Ｓｅｌｅｃｔｉｏｎ）駆動と呼ばれている方法であり、他の１つは走査電極が１行ずつ選択されるＳＡ（Ｓｍａｒｔ−Ａｄｄｒｅｓｓｉｎｇ）駆動と呼ばれている方法である。こうした駆動方法とチャージ・ポンプ回路で構成された駆動電圧形成回路とを組み合わせることによって、液晶表示装置の消費電力を著しく低減できることを国際特許公開公報ＷＯ９６／２１８８０で提案した。本発明はＷＯ９６／２１８８０の方法をもとに、部分表示機能にも対応できるように発展させて、より低消費電力化を図ったものである。
【００３１】
表示領域の走査電極における選択期間以外の期間とは、表示行に選択電圧が印加されている期間以外の期間（以下、この期間のことを非表示行アクセス期間と表す）であり、このとき、全走査電極と全信号電極の電位を固定することで、この期間の駆動回路の消費電力を極めて小さくすることができ、電気光学装置が低消費電力となる。さらに、この期間に駆動電圧形成回路のチャージ・ポンプ回路を動作停止すれば、そこでのコンデンサの充放電が無くなり、さらに低消費電力となる。この期間は駆動回路の消費電力が極めて小さいため駆動電圧を保持するコンデンサはほとんど放電せず、チャージ・ポンプ回路が動作停止しても駆動電圧の変動は実用上問題の無い程度に納まる。
【００３２】
さらに、上記本発明の電気光学装置の駆動方法において、前記表示画面の全体を表示状態とする第１の表示モードと、前記表示画面の一部の領域を表示状態、他の領域を非表示状態とする第２の表示モードとを有し、前記第１の表示モード時と前記第２の表示モード時とで前記表示領域の各走査電極に選択電圧を印加する時間は変えないことが好ましい。本発明によれば、全画面表示の場合と部分表示の場合とで表示領域の走査電極に選択電圧を印加する時間が同じ、すなわち、デューティが同じである。そのため、部分表示時にバイアス比や駆動電圧の変更が不要となり、駆動回路や駆動電圧形成回路を複雑化させずに済む。
【００３３】
さらに、上記本発明の電気光学装置の駆動方法において、前記第１の表示モード時と前記第２の表示モード時とで、表示状態にある前記表示領域における画素の液晶に印加される実効電圧が同じになるように、前記表示領域の走査電極の選択期間以外の期間に前記信号電極に印加する電位を設定することが好ましい。本発明によれば、全画面表示の場合と部分画面表示の場合とで、表示領域の電気光学材料である液晶に加わる実効電圧が２つの場合で同じになるように信号電極の電位を設定するので、表示領域のコントラストが変わらないようにできる。
【００３４】
さらに、上記本発明の電気光学装置の駆動方法において、前記表示領域の走査電極の選択期間以外の期間に前記信号電極に印加する電位は、前記第１の表示モード時のオン表示或いはオフ表示の場合の前記信号電極への印加電圧と同一に設定することが好ましい。全画面表示状態での信号電圧をそのまま利用するので、駆動回路及び駆動制御が簡単となる。
【００３５】
さらに、上記本発明の電気光学装置の駆動方法において、前記複数の走査電極は、所定数単位毎に同時選択し、所定単位数毎に順次選択するように駆動され、前記第２の表示モード時におけるオン表示或いはオフ表示の場合の前記信号電極への印加電圧は、前記第１の表示モードにおける全画面オン表示或いは全画面オフ表示の場合に前記信号電極へ印加する電圧と同一であることが好ましい。こうすることで、ＭＬＳ駆動法において、全画面表示の場合と部分画面表示の場合とで表示領域の表示領域の液晶に加わる実効電圧を同じにすることが出来るとともに、部分画面表示の場合の画質を良好に保つことが出来る。回路規模の増加もごく僅かで済む。
【００３６】
さらに、上記本発明の電気光学装置の駆動方法において、前記表示領域の走査電極の選択期間以外の期間に前記信号電極に印加する電位は、一画面走査する前記所定期間毎に、全画面表示状態においてオン表示させる場合の印加電位とオフ表示させる場合の印加電位とを交互に切り替えて設定することが好ましい。さらに、上記本発明の電気光学装置の駆動方法において、前記第２の表示モード時における前記表示領域の走査電極の選択期間以外の期間では、前記走査電極と前記信号電極との電圧差の極性はフレーム毎に反転してなることが好ましい。そうすることで、非表示行アクセス期間の消費電力を大幅に低減できる。部分表示行が少ない（例えば６０行以下程度）場合には、非表示行での画素の液晶駆動電圧を固定しても画面全体の画質は悪化しない。
【００３７】
また、本発明は、複数の走査電極と複数の信号電極とが交差配置されて構成され、表示画面を部分的に表示領域とする機能を有する電気光学装置の駆動方法において、前記表示領域の走査電極には、選択期間に選択電圧を印加すると共に非選択期間に非選択電圧を印加し、且つ前記表示画面の他の領域の走査電極には、前記選択電圧を印加せずに前記非選択電圧を印加すると共に、全ての信号電極については、全画面表示状態の時の極性反転駆動における同一極性駆動期間よりも少なくとも長い期間は印加電圧を固定することにより、前記表示画面を部分表示状態とすることを特徴とする。本発明によれば、一部領域のみを表示領域とする部分表示の場合には、全走査電極及び全信号電極の電位が所定期間は固定されるため、電気光学材料である液晶層や電極の駆動回路等での充放電がなされない期間が発生し、その分、低消費電力となる。
【００３８】
さらに、上記本発明の電気光学装置の駆動方法において、前記全画面表示状態の時の極性反転駆動における同一極性駆動期間よりも少なくとも長い期間毎に、前記信号電極への印加電圧を、全画面表示状態においてオン表示させる場合の電位とオフ表示させる場合の電位に交互に切り替えることが好ましい。非表示行アクセス期間であっても、周期的に駆動電圧を極性反転させるので、液晶への直流電圧印加やクロストークを防止できる。
【００３９】
以上の電気光学装置の駆動方法は、単純マトリクス型液晶表示装置やアクティブマトリクス型液晶表示装置によって実現できる。
【００４０】
さらに、本発明の電気光学装置は、以上の電気光学装置の駆動方法を用いて駆動されることを特徴とし、これにより低消費電力化された電気光学装置を提供することができる。
【００４１】
また、本発明の電気光学装置は、複数の走査電極と複数の信号電極とが交差配置されて構成され、表示画面を部分的に表示領域とする機能を有する電気光学装置において、前記複数の走査電極に、選択期間に選択電圧を印加し、非選択期間に非選択電圧を印加する走査電極用駆動回路と、前記複数の信号電極に、表示データに応じた信号電圧を印加する信号電極用駆動回路と、表示画面内の部分表示領域の位置情報が設定される設定手段と、該設定手段に設定された位置情報に基づき、前記走査電極用駆動回路及び前記信号電極用駆動回路を制御する部分表示制御信号を出力する制御手段とを備え、前記走査電極用駆動回路及び前記信号電極用駆動回路は、前記部分表示制御信号に応じて、表示画面内の表示領域の前記走査電極及び前記信号電極を表示データに応じた表示となるように駆動し、表示画面内の非表示領域の前記走査電極には非選択電圧を印加し続けて非表示状態とすることを特徴とする。本発明によれば、部分表示用にハード的な回路でデューティ、バイアス比、液晶駆動電圧等を変更するということが不要であるため、表示行あるいは非表示行の行数や位置を制御回路のレジスタに設定することが可能となる。こうすることにより部分表示の行数や位置がソフト的に設定できる汎用性の高い電気光学装置を提供することができる。
【００４２】
上記の電気光学装置は、単純マトリクス型液晶表示装置やアクティブマトリクス型液晶表示装置として実現することができる。
【００４３】
また、本発明の電気光学装置の駆動回路は、複数の走査電極と複数の信号電極とが交差配置されて構成され、表示画面を部分的に表示領域とする機能を有する電気光学装置の駆動回路において、前記複数の走査電極に電圧印加する第１の駆動手段と、表示データの記憶回路を具備し、ここから読み出された該表示データに応じて選択された電圧を前記複数の信号電極に電圧印加する第２の駆動手段とを有し、前記第１の駆動手段は、前記表示領域の走査電極には、選択期間に選択電圧を印加すると共に非選択期間に非選択電圧を印加し、且つ前記表示画面の他の領域の走査電極には、前記非選択電圧のみを印加する機能を有し、前記第２の駆動手段は、前記表示領域の走査電極の選択期間に対応する期間には前記記憶回路から表示データを読み出し、それ以外の期間には前記記憶回路の表示データ読み出しアドレスを固定する機能を有することを特徴とする。本発明によれば、信号電極用駆動回路に内蔵されている記憶回路から表示データを読み出す動作を停止することにより、非表示行アクセス期間の信号電極用駆動回路の消費電流を０近くまで低減することができる。この時、読み出し表示情報を１または０に固定すれば、信号電極用駆動回路の出力を全画面オン表示または全画面オフ表示の場合と同じ電位に固定できる。
【００４４】
さらに、上記本発明の電気光学装置において、前記表示領域の走査電極の選択期間以外の期間には、前記第１の駆動手段内のシフトレジスタのシフト動作を停止してなることが好ましい。本発明によれば、この期間は走査電極用駆動回路は選択電圧を出力しないため、走査電極用駆動回路内部のシフトレジスタが動作している必要は無い。シフトクロックを停止させることによりシフトレジスタの動作を停止すれば、この期間の走査電極用駆動回路の消費電力をほぼ０に低減できる。
【００４５】
また、本発明の電気光学装置の駆動回路は、複数の走査電極と複数の信号電極とが交差配置されて構成され、表示画面を部分的に表示領域とする機能を有する電気光学装置の駆動回路において、シフトレジスタのシフト動作に応じて、前記複数の走査電極に順次選択電圧を印加する走査電極用駆動回路を有し、前記走査電極用駆動回路は、表示画面を部分的に表示領域とする際には、前記シフトレジスタのシフト動作に応じて前記表示画面の表示領域の走査電極には選択期間に選択電圧を印加し、前記表示画面の他の領域の走査電極には前記シフトレジスタのシフト動作を途中で停止して、前記非選択電圧のみを印加してなり、前記走査電極用駆動回路は、表示画面を部分的に表示領域とする状態から全画面表示状態へ移行する際に、前記シフトレジスタを初期状態とする初期設定手段を有することを特徴とする。本発明によれば、部分表示状態から全画面表示状態への移行時に、途中の走査電極から走査が開始されることなく、最初の行から走査電極の走査を始めることができる。
【００４６】
また、本発明の電気光学装置は、上記の電気光学装置の駆動回路と、それにより駆動される走査電極及び信号電極とを有することを特徴とし、これにより部分表示が可能で、低消費電力化された電気光学装置を提供することができる。
【００４７】
また、本発明の電気光学装置は、複数の走査電極と複数の信号電極とが交差配置されて構成され、表示画面を部分的に表示領域とする機能を有する電気光学装置において、前記複数の走査電極に電圧印加する第１の駆動手段と、表示データの記憶回路を具備しここから読み出された該表示データに応じて選択された電圧を前記複数の信号電極に電圧印加する第２の駆動手段とを有し、前記第１の駆動手段は、前記表示画面の表示領域の走査電極には、選択期間に選択電圧を印加すると共に非選択期間に非選択電圧を印加し、且つ前記表示画面の他の領域の前記走査電極には、前記非選択電圧のみを印加する機能を有し、前記第２の駆動手段は、前記複数の信号電極に対して、前記表示領域の走査電極の選択期間には前記記憶回路から読み出した表示データに基づく電圧を印加し、それ以外の期間には同一の表示データに基づく電圧を印加する機能を有することを特徴とする。本発明によれば、信号電極用駆動回路に内蔵されている記憶回路から表示データを読み出す動作を停止することにより、非表示行アクセス期間の信号電極用駆動回路の消費電流を０近くまで低減することができる。
【００４８】
さらに、上記本発明の電気光学装置において、前記表示領域の走査電極の選択期間以外の期間には、前記第２の駆動手段は、全画面表示状態の時の極性反転駆動における同一極性駆動期間よりも少なくとも長い期間毎に、前記信号電極への印加電圧を、全画面表示状態においてオン表示させる場合の電位とオフ表示させる場合の電位に交互に切り替えることが好ましい。非表示行アクセス期間であっても、周期的に駆動電圧を極性反転させるので、液晶への直流電圧印加やクロストークを防止できる。
【００４９】
さらに、上記本発明の電気光学装置において、前記走査電極又は前記信号電極への印加電圧を形成して前記駆動手段へ供給する駆動電圧形成回路を有し、該駆動電圧形成回路は、前記印加電圧の電圧を調整するコントラスト調整回路を含み、前記表示領域の走査電極の選択期間以外の期間には、前記コントラスト調整回路の動作を停止してなることが好ましい。本発明の電気光学装置は非表示行アクセス期間の駆動回路での消費電力が極めて小さいため、駆動電圧をコンデンサで保持しておけばこの間はコントラスト調整回路を停止しても駆動電圧の変動は小さく実用上の問題は無い。コントラスト調整回路を停止することで駆動回路の消費電力をさらに低減することができる。
【００５０】
また、本発明の液晶表示装置の駆動方法は、液晶表示パネルの全画面のうちの一部領域を表示状態とし、他の領域を非表示状態とする部分表示状態が可能な反射型あるいは半透過型の液晶表示装置の駆動方法において、前記液晶表示パネルをノーマリーホワイト型とするとともに、前記部分表示状態では前記非表示領域の液晶にはオフ電圧以下の実効電圧を印加することを特徴とする。ノーマリーホワイト型を採用することにより部分表示状態において非表示領域が白となるので違和感の無い表示を実現することができる。また、非表示領域の液晶にオフ電圧以下の実効電圧を印加する回路手段として消費電力が小さく容易な手段を用いることができ、更に、非表示領域の液晶の誘電率が小さいので液晶の交流駆動に伴う充放電電流が小さくなり、全画面が表示状態の時と比べて表示装置全体としての消費電力を著しく低減することが可能となる。
【００５１】
さらに、上記液晶表示装置の駆動方法において、前記液晶表示パネルは単純マトリクス方式液晶パネルであって、前記部分表示状態において前記非表示領域の走査電極に非選択電圧のみを印加することが好ましい。さらに、前記液晶表示パネルは単純マトリクス方式液晶パネルであって、前記部分表示状態において前記非表示領域の信号電極にオフ表示となる電圧のみを印加することが好ましい。
【００５２】
さらに、上記液晶表示装置の駆動方法において、前記液晶表示パネルはアクティブマトリクス方式液晶パネルであって、前記部分表示状態に移行する少なくとも１フレーム目には前記非表示領域の画素の液晶にオフ電圧以下の電圧を印加し、続くフレームから前記非表示領域の走査電極に非選択電圧のみを印加することが好ましい。さらに、前記液晶表示パネルはアクティブマトリクス方式液晶パネルであって、前記部分表示状態に移行する少なくとも１フレーム目には前記非表示領域の画素の液晶にオフ電圧以下の電圧を印加し、続くフレームから前記非表示領域のアクセス期間はオフ電圧以下の電圧のみを前記信号電極に印加することが好ましい。
【００５３】
このようにすれば、表示画面の行方向及び列方向に部分表示領域を設け、それ以外を非表示とすることができる。また、ノーマリーホワイト型の液晶表示パネルであるため、非表示領域は白表示となって表示の違和感が少なく、また非表示領域の画素に高電圧印加を印加しないため、低消費電力化することができる。
【００５４】
また、本発明の液晶表示装置は、上記液晶表示装置の駆動方法を用いて駆動されることを特徴とし、それにより部分表示状態となっても表示の違和感が少なく、低消費電力な液晶表示装置を提供することができる。
【００５５】
また、本発明の電子機器は、上記本発明の電気光学装置や上記の液晶表示装置を表示装置として用いた電気光学装置を提供することができる。特に、電子機器が電池を電源とするものであれば、表示装置での消費電力を低減することにより、電池寿命を大きく延ばすことができる。
【００５６】
【発明の実施の形態】
以下、本発明の好適な実施形態を図面に基づいて説明する。
【００５７】
図１は本発明による電気光学装置の実施形態の一例としての液晶表示装置を示すブロック図である。まずその構成を説明する。ブロック１はスーパーツイステッドネマチック（ＳＴＮ）型の液晶を用いた単純マトリクス型液晶表示パネル（ＬＣＤパネル）であり、複数の走査電極を形成した基板と複数の信号電極を形成した基板とが数μｍの間隔で対向して配置され、その間隙に上述の液晶が封入されている。複数の走査電極と複数の信号電極の交差部の液晶により、画素（ドット）がマトリクス状に配置される。また、基板の外面側に必要に応じて位相差板や偏光板のような偏光素子を配置してなる。
【００５８】
なお、液晶は、本実施形態で用いるＳＴＮだけでなく、液晶分子がねじれ配向したタイプ（ＴＮ型など）、ホメオトロピック配向したタイプ、垂直配向したタイプや、強誘電などのメモリー型など、種々用いることができる。また、高分子分散型液晶のように光散乱型の液晶でもよい。液晶表示パネルは、透過型でも反射型でも半透過型でも構わないが、低消費電力化のためには反射型や半透過型が好ましい。液晶表示パネル１をカラー化する場合には、基板内面にカラーフィルタを形成する、照明装置の発光する３色を時系列で切り替える、などの方法が考えられる。
【００５９】
ブロック２は液晶表示パネルの走査電極を駆動する走査電極用駆動回路（Ｙドライバ）であり、ブロック３は液晶表示パネルの信号電極を駆動する信号電極用駆動回路（Ｘドライバ）である。液晶の駆動に必要な複数の電圧レベルはブロック４の駆動電圧形成回路で形成され、Ｘドライバ３とＹドライバ２を経由して液晶表示パネル１に印加される。ブロック５はそれらの回路に必要な信号を供給するコントローラであり、ＰＤは部分表示制御信号、ＦＲＭはフレーム開始信号、ＣＬＸはデータ転送用クロック、Ｄａｔａは表示データである。ＬＰはデータラッチ信号であるが、走査信号転送用クロック及び駆動電圧形成回路用クロックを兼ねている。ブロック６は以上の回路の電力供給源である。
【００６０】
コントローラ５、駆動電圧形成回路４、Ｘドライバ３及びＹドライバ２を個別のブロックとして図示してあるが、これらは別々のＩＣになっている必要は無く、コントローラ５をＹドライバ２又はＸドライバ３に内蔵させたり、駆動電圧形成回路をＹドライバ２又はＸドライバ３に内蔵させてもかまわず、ＸとＹのドライバを１チップＩＣにしてもかまわず、さらには、これらの回路をすべてを１チップＩＣにまとめてもかまわない。また、これらの回路ブロックは、液晶表示パネル１とは別基板に配置しても、液晶表示パネル１を構成する基板上にＩＣとして載置したり、基板に回路を作り込んで配置してもよい。
【００６１】
本発明の液晶表示装置は、単純マトリクス型であるため、非選択行の走査電極に印加する電圧が１レベルのみの駆動方法を用いているので、駆動回路が簡単になり、消費電力も小さくできる。なお、非選択電圧は液晶への印加電圧の極性に対応して２電圧レベル用意して、それを極性反転に応じて交互に選択する駆動方法を採用しても構わない。特に、後述する２端子型非線形素子を画素に有するアクティブマトリクス型液晶表示装置においては、そのような駆動方法が従来から用いられる。
【００６２】
また、図１の駆動電圧形成回路ブロック４は主要部が電圧を昇圧又は降圧するチャージ・ポンプ回路で構成されている。ただし、チャージ・ポンプ回路以外の昇圧／降圧回路を用いてもよい。
【００６３】
液晶表示パネル１は１例として行数（走査電極数）が全部で２００あり、必要な時は全画面が表示状態（全画面表示モード）となるが、待機時等には２００行の内の４０行だけが表示状態となり、残りの１６０行が非表示状態（部分表示モード）となる。具体的な駆動方法については以下の個別の実施形態において説明する。
【００６４】
（第１の実施形態）
ここでは図２〜４を用いて、４行の走査電極が同時に選択され、順次４行の走査電極単位で同時選択がなされるという駆動方法（以下では４ＭＬＳ（Ｍｕｌｔｉ−Ｌｉｎｅ−Ｓｅｌｅｃｔｉｏｎ）駆動法と表す）を用いて部分表示を行った場合の例について述べる。まず４ＭＬＳ駆動用の駆動電圧形成回路４の例をそのブロック図である図２を用いて説明する。
【００６５】
ＭＬＳ駆動法では走査信号電圧（Ｙドライバ２が出力する走査電圧）として非選択電圧ＶＣ、正側選択電圧ＶＨ（ＶＣを基準とした正側電圧）、負側選択電圧ＶＬ（ＶＣを基準とした負側電圧）の３つの電圧レベルが必要である。ここに、ＶＨとＶＬはＶＣを中心として対称である。４ＭＬＳ駆動法では信号電圧（Ｘドライバ３が出力する信号電圧）として±Ｖ２、±Ｖ１、ＶＣの５つの電圧レベルが必要であり、±Ｖ２、±Ｖ１の対応する電圧どうしはそれぞれＶＣを中心として対称である。図２の回路は（Ｖｃｃ−ＧＮＤ）を入力電源電圧とし、データラッチ信号ＬＰをチャージ・ポンプ回路のクロック源として、以上の電圧を出力する。以下特記しない限り、ＧＮＤを基準（０Ｖ）とし、Ｖｃｃ＝３Ｖとして説明する。液晶駆動電圧の内のＶＣとＶ２には各々ＧＮＤとＶｃｃをそのまま用いる。
【００６６】
ブロック７は昇圧／降圧用クロック形成回路であり、データラッチ信号ＬＰからチャージ・ポンプ回路を動作させるための狭い時間間隔を持つ２相クロックを形成する。ブロック８は負方向６倍昇圧回路であり、（Ｖｃｃ−ＧＮＤ）を入力電源電圧としてＶｃｃを基準として負方向に入力電源電圧の６倍の電圧であるＶＥＥ≒−１５Ｖを形成する。なお、以下、負方向とは所定の電圧を基準とした負側電圧の方向を示し、正方向とは同じく正側電圧の方向を示す。ブロック１３は必要な負側選択電圧ＶＬ（たとえば−１１Ｖ）をＶＥＥから取り出すためのコントラスト調整回路であり、バイポーラ・トランジスタと抵抗により構成される。ブロック９は正側選択電圧ＶＨを形成する２倍昇圧回路であり、（ＧＮＤ−ＶＬ）を入力電圧としてＶＬを基準に正方向に入力電圧の２倍の電圧であるＶＨ（たとえば１１Ｖ）を形成する。
【００６７】
ブロック１０は負方向２倍昇圧回路であり、（Ｖｃｃ−ＧＮＤ）を入力電源電圧としてＶｃｃを基準に負方向に入力電源電圧の２倍の電圧である−Ｖ２≒−３Ｖを形成する。ブロック１１は１／２降圧回路であり、（Ｖｃｃ−ＧＮＤ）を入力電源電圧としてこれを１／２に降圧した電圧であるＶ１≒１．５Ｖを形成する。ブロック１２も１／２降圧回路であり、〔ＧＮＤ−（−Ｖ２）〕を入力電源電圧としてこれを１／２に降圧した電圧である−Ｖ１≒−１．５Ｖを形成する。
【００６８】
以上で４ＭＬＳ駆動法に必要な電圧が形成できる。ブロック８〜１２はいずれもチャージ・ポンプ方式の昇圧／降圧回路である。こうしたチャージ・ポンプ方式の昇圧／降圧回路による駆動電圧形成回路は電力供給効率が高いため、４ＭＬＳ駆動法によって液晶表示装置を低消費電力で駆動することができる。なお、ブロック８〜１２のチャージ・ポンプ回路のそれぞれは周知の構成であって、昇圧回路の場合は一例として、コンデンサをＮ個並列に接続して入力電圧を充電した後に、Ｎ個のコンデンサを直列接続すれば入力電圧のＮ倍の昇圧電圧が得られ、降圧回路であれば同一容量のコンデンサをＮ個直列接続して両端から入力電圧を充電した後に、Ｎ個のコンデンサを並列にすれば１／Ｎの降圧電圧が得られる。クロック形成回路７が形成する２相のクロックは、これらのコンデンサを直列と並列に切り替え接続するスイッチの制御クロックとなる。
【００６９】
なお、駆動電圧形成回路４における回路ブロック８〜１２の全てまたはその内の幾つかは、チャージ・ポンプ回路ではなく、コイルとコンデンサを利用した周知のスイッチングレギュレータに置き換えて構成しても構わない。
【００７０】
図３は液晶駆動電圧波形を含んだ、図１及び図２に示す液晶表示装置のタイミング図の例であり、図４は液晶駆動電圧波形例を説明するための図である。図３は全画面で走査電極が２００行あり、その内の４０行だけが表示状態となっており、表示状態の領域に走査電極１本置きに横線を表示している場合の例である。フレーム開始信号ＦＲＭのパルスとパルスの間は、一画面を走査する１フレーム期間であり、その長さは２００Ｈ（１Ｈは１選択期間又は１水平走査期間）とする。
【００７１】
ＣＡはフィールド開始信号で、１フレームは５０Ｈずつの４つのフィールドｆ１〜ｆ４に分割される。データラッチ信号ＬＰの周期は１Ｈであり、信号ＬＰの１クロック毎に４行の走査電極が同時に選択される。選択されている行の走査電極には選択電圧ＶＨあるいはＶＬが印加され、その他の行の走査電極には非選択電圧ＶＣが印加される。  Ｙ１〜Ｙ４０，Ｙ４１〜Ｙ２００の波形は、１〜２００行の走査電極に印加される走査電圧駆動波形を示す。信号ＬＰの１クロック目でＹ１〜Ｙ４、２クロック目でＹ５〜Ｙ８、…、１０クロック目でＹ３７〜Ｙ４０の走査電極が順次選択され、１０Ｈの間に４０行の選択が一巡する。この４０行の内のある４行が選択されている間は部分表示制御信号ＰＤは“Ｈ”レベルとなっており、４０行の選択期間中１０ＨはＰＤは“Ｈ”レベルを継続する。４０行の選択が終わるとＰＤは“Ｌ”レベルとなり、１フィールド５０Ｈの残りの期間４０Ｈは“Ｌ”レベルを継続する。通常、Ｙドライバ２はすべての出力を制御信号の入力により非同期で非選択電圧ＶＣに固定する制御端子を有している。部分表示制御信号ＰＤをＹドライバ２のそうした制御端子に入力することにより、信号ＰＤが“Ｌ”の期間となる１フィールドｆの５０Ｈの内の非表示行アクセス期間４０Ｈは、２００行の全走査電極が非選択レベルＶＣに固定された状態となる。
【００７２】
なお、Ｍは液晶交流駆動信号であり、“Ｈ”レベルと“Ｌ”レベルとで画素の液晶に印加する駆動電圧（走査電圧と信号電圧の差）の極性を切り替えている。また、Ｘｎは１〜４０行だけが表示状態、４１〜２００行が非表示状態で、表示状態の部分に走査電極１本置きに横線を表示している場合における、ｎ番目の信号電極に印加する信号電極駆動波形を示している。
【００７３】
各フィールドとも以上の動作の繰り返しであるが、選択されている４行の走査電極へ印加する選択電圧ＶＨ、ＶＬの与え方が各々のフィールドｆ１〜４において異なる。この様子を図４Ａに示す。選択されている４行の走査電極へ印加する選択電圧が、フィールドｆ１においては１行目から４行目に順番にＶＨ、ＶＬ、ＶＨ、ＶＨであるが、フィールドｆ２においては１行目から４行目に順番にＶＨ、ＶＨ、ＶＬ、ＶＨという具合である。各フィールドにおける選択電圧の組み合わせ方をＣｏｍパターンと表す。図４Ａは、ＶＨを１、ＶＬを−１で表した行列式を示すもので、このＣｏｍパターンはある正規直交行列に従っている。
【００７４】
信号電圧は表示パターンとＣｏｍパターンとによって決まる。オン画素を−１、オフ画素を１として表示パターンを図４Ｂのように４行１列の行列式で表すと、各フィールドｆ１〜ｆ４のそれぞれにおいて、ｎ番目の信号電極Ｘｎの走査電極Ｙ４ｎ＋１〜Ｙ４ｎ＋４行目の画素に印加する信号電圧は、図４Ｃに示すようにＣｏｍパターン行列と表示パターン行列との積で表すことができる。積の行列の各行が４つの行の画素の表示に合わせて信号電極に印加する信号電圧となる。たとえば、図４Ｃによれば、信号電極Ｘｎにはフィールドｆ１では（ｄ１−ｄ２＋ｄ３＋ｄ４）の演算結果に基づく信号電圧が印加され、フィールドｆ２では（ｄ１＋ｄ２−ｄ３＋ｄ４）の演算結果に基づく信号電圧が印加され、フィールドｆ３，ｆ４でも図４Ｃに示す演算結果に基づき信号電圧が決まる。なお、演算結果において、０はＶＣ、±２は±Ｖ１、±４は±Ｖ２を意味する。
【００７５】
具体的には、たとえば全画面がオン表示（ｄ１〜ｄ４が全て−１）の場合には演算結果は全ての行が−２となるので信号電圧はどのフィールドも−Ｖ１となり、全画面がオフ表示（ｄ１〜ｄ４が全て１）の場合には演算結果は全ての行が２となるので信号電圧はどのフィールドもＶ１となる。走査電極１本置きに横線表示（ｄ１＝ｄ３＝−１、ｄ２＝ｄ４＝１）の場合には演算結果はフィールドｆ１とｆ４が−２となるので信号電圧は−Ｖ１となり、フィールドｆ２とｆ３が２となるので信号電圧はＶ１となる。
【００７６】
図３において、表示領域の走査電極に選択電圧が印加されている間は、信号電極Ｘｎへは前述したように表示パターンに応じて演算された結果として選択された駆動電圧が印加される。非表示行アクセス期間４０Ｈの信号電圧をＶＣに固定することは好ましくない。全画面表示状態と部分表示状態とを切り替えた時に表示されている領域１行〜４０行のコントラストが変わらないように、非表示行アクセス期間４０Ｈの信号電圧は、２つの状態で表示領域の液晶に加わる実効電圧が同じになることが必要であるからである。そのため、ここではその間の信号電圧を表示領域の最後の４行（Ｙ３７〜Ｙ４０）の走査電極を選択している時の電圧−Ｖ１をそのまま継続させている。非表示行アクセス期間４０Ｈの信号電圧はそれぞれ１フィールド内では一定電圧に固定されているが、各フィールド間では必ずしも同一電圧にはなっていない。信号電極Ｘｎの駆動電圧は、フィールド毎の非表示行アクセス期間は−Ｖ１，Ｖ１，Ｖ１，−Ｖ１と変化する。このように、非表示行アクセス期間４０Ｈの信号電圧は各フィールド間で同一電圧に固定する必要は無く、また、次に述べる液晶駆動電圧の極性反転に伴っても変化する。
【００７７】
Ｍは液晶交流駆動信号で、図３は液晶駆動電圧の極性を１フレーム毎に反転する場合を示している。信液晶交流駆動信号Ｍのレベルが反転すると前述した図４ＡのＣｏｍパターンの極性が反転（１は−１、１は−１に反転）し、それに応じて走査電極と信号電極に印加される選択電圧と信号電圧のＶＣを基準とした極性も反転する。全画面表示状態においては、液晶交流駆動信号Ｍを１１Ｈ毎に反転させ、液晶に印加する選択電圧の極性を１１Ｈ毎に反転して、表示クロストークの発生を低減している。一方、部分表示状態では、表示領域Ｄについては全画面表示の場合と同様に同じ期間（１１Ｈ）毎に極性反転駆動するが、非表示領域においては１１Ｈより長い期間で、液晶への印加電圧は極性反転させる。部分表示領域が小さいと非表示行アクセス期間が長くなってしまい、表示領域Ｄが高デューティで駆動された後の長い期間に信号電極及び走査電極の電位が固定し、極性反転はフレーム毎になってしまうが、実験の結果、画質面では問題が無かった。また非表示アクセス期間には液晶駆動電圧が固定されることにより、液晶層や、Ｙドライバ２及びＸドライバ３や、コントローラ５等において電圧変化に伴い発生する充放電電流や貫通電流による消費電力が大幅に少なくなるので、低消費電力化の面でも好ましい。消費電力は、非表示領域が大きくなるほど、非表示アクセス期間が長くなって走査電圧及び信号電圧の固定期間が長くなることにより、液晶や回路の充放電が抑えられより低減することができる。
【００７８】
以上の方法により、４ＭＬＳ駆動法の場合の部分表示機能が実現できる。こうした方法により部分表示状態での消費電力を表示行数にほぼ比例するところまで低減することができる。
【００７９】
なお、液晶表示パネル１が全画面表示状態のときは、制御信号ＰＤは常時“Ｈ”レベルで、データラッチ信号ＬＰは連続供給されて走査電極Ｙ１〜Ｙ２００が４行毎に同時選択され４行単位で順次選択される。また、全画面表示状態では液晶駆動電圧の極性反転は、所定期間毎に行うことが必要である。たとえば１１Ｈ毎に選択電圧及び信号電圧の極性を切り替えて、極性反転を行う必要がある。この他、フレーム期間毎に液晶駆動電極の極性反転を行ったり、これに加えて、フレーム内で所定期間毎に極性反転するようにしてもよい。
【００８０】
また、全画面表示の場合と一部の行だけに部分表示する場合とで、表示領域にある各走査電極に選択電圧を印加する時間と電圧は同じである。従って、部分表示機能のために駆動電圧形成回路４に追加が必要な要素は無い。
【００８１】
なお、以上の実施形態では４ライン同時選択の場合のＭＬＳ駆動法について述べてきたが、同時選択ライン数は４に限定されるものではなく、２や７等々、複数のラインの同時選択であれば構わない。同時選択ライン数が異なれば１フィールドの期間も異なることになる。また、選択電圧の印加を１フレーム内で均等分散させる場合について述べてきたが、均等分散させない場合（たとえば、Ｙ１〜Ｙ４の選択を４Ｈに連続して行い、Ｙ５〜Ｙ８の選択を次の４Ｈに連続して行うように、選択をフレーム内でまとめる方法など）にも適用可能である。また、実施形態では全画面を２００行とし部分表示行数を４０行としたが、これに限られるものではなく、さらに部分表示の箇所もこれに限られるものではない。
【００８２】
さらに、上記実施形態においては１フィールド毎のデータラッチ信号ＬＰのクロック数を（表示行数／同時選択ライン数）として説明したが、ドライバの制約等を考慮してクロック数を１０Ｈの前後に少し追加する場合も本発明の趣旨に含まれるものである。
【００８３】
（第２の実施形態）
次に図５と図６を用いて本実施形態を説明する。図５は図１におけるコントローラ５の中の一部分を示した回路図であり、部分表示状態を制御する回路ブロックである。また、図６は図５の回路の動作を説明するタイミング図であり、第１の実施形態の図３のタイミング図の一部を拡大及び追加した図である。本発明の液晶表示装置の構成及び動作は、第１の実施形態での説明と同様である。そのため、第１の実施形態と同じ部分については説明を省略する。
【００８４】
まず、図５の回路の構成を説明する。１４は８ビット程度のレジスタであり、部分表示状態か否かの情報と部分表示する行数に対応した情報とが設定される。行数の設定を７ビットで行えば、１行ずつの線順次駆動のパネルでは２７＝１２８行までの部分表示が１行単位で設定でき、４行同時選択駆動（４ＭＬＳ駆動法）のパネルでは２７×４＝５１２行までの部分表示が４行単位で設定できることになる。
【００８５】
１５はカウンタを主体とする回路ブロックで、フィールド開始信号ＣＡ、データラッチ信号ＬＰＩといったタイミング信号とレジスタ１４の設定値とを基に、部分表示を制御するタイミング信号ＰＤとＣＮＴを形成する。ＬＰＩはＬＰの基になる信号であり、図６に示したように、ＰＤが“Ｌ”レベルの非表示行アクセス期間においても一定周期のクロックが存在する信号である。１６はＡＮＤゲートである。
【００８６】
部分表示制御信号形成ブロック１５は図６に示すように、フィールド開始信号ＣＡ、データラッチ信号ＬＰＩ及びレジスタ設定値を基にして、部分表示制御信号ＰＤより１Ｈ先行する信号ＣＮＴをまず形成する。回路ブロック１５では、たとえば、ＬＰＩを入力して行数を計数するカウンタとレジスタ１４の設定値により得られる行の値との一致検出によりＣＮＴのレベルを切り替えるなどにより、ＣＮＴを形成することができる。ＣＮＴとＬＰＩとのＡＮＤ出力がＬＰとなる。ＰＤはＣＮＴをＬＰＩで１Ｈ遅延させて形成する。全画面表示状態においてはＣＮＴは定常的に“Ｈ”レベルであって、ＡＮＤゲート１６が開いたままとなり、ＬＰにはＬＰＩと同じ信号がそのまま送り出される。これにより、２００行の全走査電極は所定数の行単位で選択がなされていく。
【００８７】
部分表示の場合は、シフトレジスタ１４の設定値に応じて、１フィールド期間中での部分表示期間を示すＰＤを、設定値により指定された期間に“Ｈ”レベルにする。そのＰＤが“Ｈ”レベル期間に対応した長さの“Ｈ”レベルを有するＣＮＴで、ＬＰの出力を制御することにより、ＣＮＴが“Ｈ”の期間中にのみデータラッチ信号ＬＰが出力されるようになる。
【００８８】
以上の方法により、部分表示の行数に対応する値を制御回路のレジスタ１４に設定し、その設定値に従って部分表示の行数をＰＤ（ＣＮＴ）の調整により可変させることが可能となる。部分表示機能を実現するにあたり、ＬＰ周期の変更やバイアス比及び選択電圧の変更といったハード的に制約のある手段を設ける必要が無いため、使用者が好ましい部分表示行数をレジスタのような設定手段にソフト的に設定でき、汎用性の高い部分表示機能を有した液晶表示装置となる。
【００８９】
なお、以上の例ではパネルの先頭から一定の行数だけ部分表示させる場合について述べてきたが、設定手段のレジスタを２系列用意して各レジスタに部分表示領域の開始行と終了行に対応する値を設定すれば、行数に加えて部分表示領域の位置も可変とすることができる。この場合、回路ブロック１５では、上記したカウンタの計数値と第１レジスタに設定される開始行とを比較して一致によりＣＮＴを“Ｈ”にし、カウンタ計数値と第２レジスタに設定される終了行とを比較して一致によりＣＮＴを“Ｌ”にするように制御する。
【００９０】
（第３の実施形態）
本実施形態は、非表示行アクセス期間における信号電極の電位が全画面オフ表示の場合と同じレベルに固定されているという点だけが第１の実施形態と異なる場合の例である。図４ＡのＣｏｍパターンによる選択電圧均等分散型の４ＭＬＳ駆動法とチャージ・ポンプ回路を主体とする図２のような駆動電圧形成回路４を採用している点、全画面で走査電極が２００行あり、その内の４０行だけが表示状態となっている点、表示状態の部分に走査電極１本置きに横線を表示している場合の例である点、１フレーム期間の長さが２００Ｈである点、非表示行アクセス期間の走査電極への印加電圧を非選択電圧ＶＣに固定している点、液晶駆動電圧の極性を１フレーム毎に反転している点は第１の実施形態と同じである。そのため、第１の実施形態と同じ部分については説明を省略する。
【００９１】
図７は本実施形態におけるタイミング図を示したものであり、第１の実施形態で説明した図３とは信号電極Ｘｎに印加する電圧波形だけが異なっている。走査電極Ｙ１〜Ｙ２００に印加する電圧波形は図３と同一であるため、図７への記載は省略してある。
【００９２】
本実施形態においては、非表示行アクセス期間（各フィールドｆ中の４０Ｈの期間）に信号電極Ｘｎに印加する電位は、全画面オフ表示の場合と同じレベル±Ｖ１に固定している。すなわち、非表示行アクセス期間の信号電圧は、液晶交流駆動信号Ｍが“Ｌ”の時はＶ１に固定し、Ｍが“Ｈ”の時は−Ｖ１に固定して、１フレーム毎に反転している。
【００９３】
こうした方法により表示領域の液晶に加わる実効電圧を、全画面表示状態の場合と部分表示状態の場合とで同じにすることができ、全画面表示と部分表示の２つの状態を切り替えた時に表示領域のコントラストが変わらないようにすることができる。  非表示行アクセス期間の信号電圧を全画面オフ表示の場合と同じ電圧に固定することは、Ｘドライバ３にわずかな変更を追加するだけで可能である。その方法の１例については第６の実施形態のところで説明する。
【００９４】
非表示行アクセス期間の信号電圧を、第１の実施形態のように表示領域の最後の４行の走査電極（Ｙ３７〜Ｙ４０）を選択している時の電圧をそのまま継続させるという方法よりも、この実施形態のように全画面オフ表示または全画面オン表示の場合の信号電圧と同じレベルにするという方法の方がフリッカーの発生を抑えることができるという点で好ましい。
【００９５】
その理由を以下に述べる。部分表示領域の最後の４行の表示パターンが、３行がオン表示で残りの１行がオフ表示の場合、あるいはそれとは逆に３行がオフ表示で残りの１行がオン表示の場合は、第１の実施形態では、信号電圧が４フィールドの内の３フィールドはＶＣとなり、残りの１フィールドは部分表示領域の最後の４行のオン行数に応じて−Ｖ２あるいはＶ２となる。従って、非表示行アクセス期間の信号電圧も４フィールドの内の３フィールドはＶＣとなり、残りの１フィールドは部分表示領域の最後の４行のオン行数に応じて−Ｖ２あるいはＶ２となる。
【００９６】
一方、本実施形態の場合には、前述のように、４フィールドとも液晶交流駆動信号Ｍに応じて、−Ｖ１（全画素オン表示の信号電極電圧）あるいはＶ１（全画素オフ表示の信号電極電圧）となる。第１の実施形態の場合の±Ｖ２の電圧は±Ｖ１の２倍と大きいため液晶が応答し易く、フリッカーの要因となる。従って、非表示行アクセス期間の信号電圧を、全画面オフ表示または全画面オン表示の場合と同じ電圧にする方が画質面で好ましい。
【００９７】
（第４の実施形態）
ここではＳＡ（Ｓｍａｒｔ−Ａｄｄｒｅｓｓｉｎｇ）駆動方法を用いて部分表示を行った場合の例について述べる。液晶表示装置の構成は、先に説明した図１と同様である、ＳＡ駆動方法とは、従来の駆動電圧波形を示した図２０において、たとえば液晶交流駆動信号Ｍが“Ｈ”の期間の駆動電位を全体的に（Ｖ１−Ｖ４）だけ低くして非選択電圧を１レベルにした駆動方法であり、走査電極は従来駆動と同様に順次１行ずつ選択される。まず、図１のブロック４に相当するＳＡ駆動用の駆動電圧形成回路の例をそのブロック図である図８を用いて説明する。
【００９８】
ＳＡ駆動法でもＭＬＳ駆動法と同様に走査信号電圧として非選択電圧ＶＣ、正側選択電圧ＶＨ、負側選択電圧ＶＬの３つの電圧レベルが必要である。ここに、ＶＨとＶＬはＶＣを中心として対称である。ＳＡ駆動法の場合のＶＨはＭＬＳ駆動法の場合のＶＨよりもかなり高電圧となる。信号電圧としては±ＶＸの２つの電圧レベルが必要であり、これらの電圧もＶＣを中心として対称である。図８の回路は（Ｖｃｃ−ＧＮＤ）を入力電源電圧とし、データラッチ信号ＬＰをチャージ・ポンプ回路のクロック源として以上の電圧を出力する。以下、特記しない限り、ＧＮＤを基準（０Ｖ）とし、Ｖｃｃ＝３Ｖとして説明する。
【００９９】
信号電圧の−ＶＸとＶＸには各々ＧＮＤとＶｃｃをそのまま用いる。ブロック１７は昇圧／降圧用クロック形成回路であり、入力信号ＬＰからチャージ・ポンプ回路１８〜２０を動作させるための狭い時間間隔を持つ２相クロックを形成する。ブロック１９は１／２降圧回路であり、入力電源電圧Ｖｃｃを１／２に降圧した電圧であるＶＣ≒１．５Ｖを形成する。ブロック１８は負方向８倍昇圧回路であり、（Ｖｃｃ−ＧＮＤ）を入力電源電圧としてＶｃｃを基準に負方向に入力電源電圧の８倍の電圧であるＶＥＥ≒−２１Ｖを形成する。ブロック２１は必要な負側選択電圧ＶＬ（たとえば−１７Ｖ）をＶＥＥから取り出すためのコントラスト調整回路である。ブロック２０は正側選択電圧ＶＨを形成する２倍昇圧回路であり、（ＶＣ−ＶＬ）を入力電圧としてＶＬを基準に正方向に入力電圧の２倍の電圧であるＶＨ（たとえば２０Ｖ）を形成する。
【０１００】
以上でＳＡ駆動に必要な電圧が形成できる。ブロック１８〜２０はいずれもチャージ・ポンプ方式の昇圧／降圧回路である。チャージ・ポンプ回路は前述のように２相クロックを用いた複数のコンデンサの直並列スイッチングにより構成される。こうしたチャージ・ポンプ方式の昇圧／降圧回路による駆動電圧形成回路は電力供給効率が高いため、ＳＡ駆動法による液晶表示装置を低消費電力で駆動することができる。
【０１０１】
図９は液晶駆動電圧波形を含んだタイミング図の例であり、全画面で走査電極が２００行あり、その内の４０行だけが表示状態となっており、表示状態の部分に走査電極１本置きに横線を表示している場合の例である。
【０１０２】
１フレーム期間の長さは２００Ｈとする。  データラッチ信号ＬＰの周期は１Ｈであり、ＬＰの１クロック毎に１行の走査電極が順次選択される。選択されている行の走査電極には選択電圧ＶＨあるいはＶＬが印加され、その他の行の走査電極には非選択電圧ＶＣが印加される。Ｙ１〜Ｙ４０，Ｙ４１〜Ｙ２００の波形は、１〜２００行の走査電極に印加される走査電圧駆動波形を示す。ＬＰの１クロック目でＹ１、２クロック目でＹ２、…、４０クロック目でＹ４０の走査電極が順次選択され、４０Ｈの間に４０行の選択が一巡する。この４０行が選択されている間は部分表示制御信号ＰＤは“Ｈ”レベルを継続する。４０行の選択が終わるとＰＤは“Ｌ”レベルとなり、残りの期間１６０Ｈは“Ｌ”レベルを継続する。通常、Ｙドライバ２は非同期で全出力を非選択電圧ＶＣに固定する制御端子を有している。ＰＤをＹドライバ２のそうした制御端子に入力することにより、ＰＤが“Ｌ”の期間となる非表示行アクセス期間１６０Ｈは全走査電極が非選択レベルに固定された状態となる。
【０１０３】
なお、Ｍは液晶交流駆動信号であり、“Ｈ”レベルと“Ｌ”レベルとで画素の液晶に印加する駆動電圧（走査電圧と信号電圧の差）の極性を切り替えている。また、Ｘｎは１〜４０行だけが表示状態、４１〜２００行が非表示状態で、表示状態の部分に走査電極１本置きに横線を表示している場合における、ｎ番目の信号電極に印加する信号電極駆動波形を示している。
【０１０４】
また、図９は液晶駆動電圧の極性反転が１フレーム毎に反転する場合の例である。走査電極に印加される選択電圧は液晶交流駆動信号Ｍが“Ｌ”の時はＶＨ、“Ｈ”の時はＶＬである。信号電圧はＭが“Ｌ”の時はオン画素では−ＶＸ、オフ画素ではＶＸであり、Ｍが“Ｈ”の時はオン画素ではＶＸ、オフ画素では−ＶＸである。先の実施形態にて述べたように、部分表示する行数が少なくて非表示領域が大きい場合は、表示領域が高デューティで駆動された後に比較的長い非表示行アクセス期間に信号電極及び走査電極の電位が固定し、極性反転はフレーム毎になってしまうが、実験の結果、画質面は問題が無かった。また、非表示アクセス期間には液晶駆動電圧が固定されることにより、液晶層や、Ｙドライバ２及びＸドライバ３や、コントローラ５等において電圧変化に伴い発生する充放電電流や貫通電流による消費電力が大幅に少なくなるので、低消費電力化の面でも好ましい。消費電力は、非表示領域が大きくなるほど、非表示アクセス期間が長くなって走査電圧及び信号電圧の固定期間が長くなることにより、液晶や回路の充放電が抑えられより低減することができる。
【０１０５】
非表示行アクセス期間に信号電極Ｘｎに印加する電圧は、表示領域の最後の行（Ｙ４０）の走査電極を選択している時の電圧（図９ではＶＸ）をそのまま継続させている。非表示行アクセス期間の信号電圧は１フレーム内では一定電圧に固定されているが、１フレーム毎にはＶＸと−ＶＸとに切り変わっている。このように、非表示行アクセス期間の信号電圧は各フレーム間では同一電圧である必要は無い。こうした方法で、全画面表示状態と部分表示状態とを切り替えた時に、表示されている領域のコントラストが変わらないように、非表示行アクセス期間の信号電圧を、非選択電圧ＶＣを基準に対称となる２つの電位で交互に繰り返すことにより、表示領域の液晶に加わる実効電圧が同じになる電圧に固定することができる。この実施形態においてＶＸや−ＶＸは表示の全面オフ表示や全面オン表示の場合の信号電極電圧に相当しているので、先に説明した実施形態と同様に、非表示行アクセス期間においては信号電極の電位が全面オン表示または全面オフ表示の場合と同じレベルに固定される構成になっていることになる。
【０１０６】
なお、信号ＰＤやＬＰの形成には図５と同様な回路を用いればよい。この場合のタイミング図は図６に次のような変更を加えればよい。すなわち、ＣＡをＦＲＭに、ｆｎの長さを１フレーム期間（２００Ｈ）に、１フレーム期間のＬＰＩのクロック数を２００に、ＣＮＴが“Ｈ”の期間をＬＰＩ２００クロック目の立ち下がりから４０クロック目の立ち下がりまでに、ＬＰのクロックをＬＰＩ１クロック目から４０クロック目までに、ＰＤが“Ｈ”の期間をＬＰＩ１クロック目の立ち下がりから４１クロック目の立ち下がりまでに変更すればよい。
【０１０７】
以上の方法により、ＳＡ駆動法の場合の部分表示機能が実現できる。こうした方法によっても部分表示状態での消費電力を表示行数にほぼ比例するところまで低減することができる。
【０１０８】
なお、全画面表示状態では制御信号ＰＤは常時“Ｈ”で、ＬＰは連続供給されてＹ１〜Ｙ２００が順次選択される。また、全画面表示状態では液晶駆動電圧の極性反転は、所定期間毎に行うことが必要である。たとえば１３Ｈ毎に選択電圧及び信号電圧の極性を切り替えて、極性反転を行う必要がある。この他、フレーム期間毎に液晶駆動電極の極性反転を行ったり、これに加えて、フレーム内で所定期間毎に極性反転するようにしてもよい。
【０１０９】
なお、全画面表示の場合と一部の行だけに部分表示する場合とで、表示領域にある各走査電極に選択電圧を印加する時間と電圧は同じである。従って、部分表示機能のために駆動電圧形成回路に追加が必要な要素は無く、図５のような回路を用いて部分表示する行数をソフト的に設定することが可能である。
【０１１０】
（第５の実施形態）
本実施形態は、表示行に選択電圧が印加されている期間の液晶交流駆動信号Ｍのタイミングが全画面表示の場合と一部の行だけに部分表示する場合とで同じであるという点が第４の実施形態と異なる場合の例である。ＳＡ駆動法とチャージ・ポンプ回路を主体とする図８のような駆動電圧形成回路４を採用している点、全画面で走査電極が２００行あり、その内の４０行だけが表示状態となっており、表示状態の部分に走査電極１本置きに横線を表示している場合の例である点、１フレーム期間の長さが２００Ｈである点、非表示行アクセス期間の走査電極への印加電圧を非選択電圧ＶＣに固定するとともに、信号電極への印加電圧をＶＣに対して対称なＶＸあるいは−ＶＸに固定している点、走査電極に印加される選択電圧が液晶交流駆動信号Ｍ＝“Ｌ”の時はＶＨ、Ｍ＝“Ｈ”の時はＶＬであり、信号電圧がＭ＝“Ｌ”の時はオン画素では−ＶＸ、オフ画素ではＶＸであり、Ｍ＝“Ｈ”の時はオン画素ではＶＸ、オフ画素では−ＶＸである点は第４の実施形態と同じである。そのため、第４の実施形態と同じ部分については説明を省略する。
【０１１１】
図１０は本実施形態におけるタイミング図を示したものであり、１３Ｈ（１３行の走査電極の選択期間）毎に液晶駆動電圧の極性を切り替えている。これにより液晶交流駆動信号Ｍの周期は２６Ｈとなる。２００Ｈが２６Ｈで割り切れないため、フレーム開始信号ＦＲＭに対して液晶交流駆動信号Ｍのタイミングは１フレームにつき８Ｈずつずれて行き、１３フレームで一巡して図１０の始めのタイミングに戻る。
【０１１２】
部分表示状態において一定周期の信号Ｍを形成するには、ＬＰの基になっている図５及び図６に示す連続したクロック信号ＬＰＩをその半分の周期に分周した後に、さらに１／２に分周すればよい。全画面表示の場合は図示してないが、同様に１３Ｈ毎に液晶駆動電圧の極性を切り替えているものとする。このようにして、部分表示状態において表示されている部分の液晶に加わる電圧の極性反転のタイミングを、全画面表示状態の場合と同じにすることができる。
【０１１３】
そうすることにより、部分表示状態において表示されている部分の画質を全画面表示状態の場合と同じにすることができる。なお、液晶交流駆動信号Ｍの形成に、連続したクロック信号ＬＰＩではなくＬＰを用いる場合には、駆動電圧の極性反転周期と部分表示行数との関係で、部分表示状態においてフリッカーが発生したり直流電圧が印加して画質が悪化することがある。
【０１１４】
（第６の実施形態）
図１１は、図１における信号電極駆動回路（Ｘドライバ３）の部分的なブロック図の例である。４ＭＬＳ駆動法に対応しており、液晶駆動用出力端子数を１例として１６０とした。以下に図１１の構成と各ブロックの働きについて説明する。
【０１１５】
ブロック２５は表示データを記憶するＲＡＭであり、２値表示（階調表示が無いオン／オフだけの表示）で２４０行までの液晶表示パネルに対応できるビット数（１６０×２４０画素数分）で構成されている。ブロック２２はデータラッチ信号ＬＰに応じてＲＡＭ２５をプリチャージする信号を発生する回路である。ブロック２３はどの４行の表示データをＲＡＭ２５から読み出すのか指定する行アドレス発生回路であり、フレーム開始信号ＦＲＭとデータラッチ信号ＬＰに応じて順次指定されるアドレスは同時選択される４行の走査電極に対応し、ＬＰに応じて４行×１６０列分の画素の表示データを一括出力させるように、４行分のアドレスを順次インクリメントする。
【０１１６】
行アドレス発生回路２３により指定された４行の表示データがＲＡＭ２５から読み出されて、ＡＮＤゲートで構成されるブロック２６の読み出し表示データ制御回路に送られる。部分表示制御信号ＰＤが“Ｈ”レベルの期間は表示データと同じ内容がブロック２６を経由して次のブロック２７に送られるが、ＰＤが“Ｌ”レベルの期間はＲＡＭからの表示データが無視されて全画素オフのデータ（０）がブロック２７に送られる。ここで、ＰＤが“Ｌ”レベルの期間は、全画素がオン表示のデータ（１）をブロック２７に入力するように、ブロック２６を変更しても構わない。
【０１１７】
ブロック２４はフレームやフィールドや液晶駆動電圧の極性に応じて図４ＡのようなＣｏｍパターンを発生する回路であり、ＲＯＭ等にＣｏｍパターンが記憶され、それがフレーム開始信号ＦＲＭ、フィールド開始信号ＣＡ、液晶交流駆動信号Ｍ等によりアドレスされて、液晶駆動電圧の極性に応じたＣｏｍパターン（Ｍのレベルに応じてパターンが反転／非反転する）が選択出力される。ブロック２７はＣｏｍパターンとブロック２６経由の４行分の表示データとから駆動電圧選択信号を形成するＸドライバ用のＭＬＳデコーダである。ＭＬＳデコーダ２７からは、１画素に対して５本の１６０画素分の駆動電圧選択信号が出力される。駆動電圧選択信号はＶＣ、±Ｖ１、±Ｖ２の５つの電圧からどの電圧を選択するかを指示する５本で１組の信号である。Ｄｏｎは全画面を非表示状態にするための表示制御信号であり、Ｄｏｎを“Ｌ”レベルにすると５本の選択信号の内のＶＣの選択を指示する信号だけがアクティブになる。Ｄｏｎが“Ｈ”レベルになると、列方向に４行分の画素に表示する表示データとＣｏｍパターンに基づき、図４Ｃの行列式に応じて決まる信号電圧が５つの電圧の中から選択される。
【０１１８】
ブロック２８は駆動電圧選択信号の電圧振幅をロジック電圧（Ｖｃｃ−ＧＮＤ）から液晶駆動電圧レベル（Ｖ２−〔−Ｖ２〕）に拡大するレベルシフタである。ブロック２９はＶＣ、±Ｖ１、±Ｖ２の５つの電圧から実際に１つの電圧を選択する電圧セレクタであり、電圧振幅レベルが増幅された駆動電圧選択信号により５つの電圧の供給線に接続されたスイッチの何れかを閉じ、選択された電圧を各信号電極Ｘ１〜Ｘ１６０に出力する。以上が図１１のブロック図の構成と各ブロックの働きである。
【０１１９】
部分表示状態の非表示行アドレス期間において、図３のようにＬＰ信号のクロックを停止して本実施形態のＸドライバ３のＬＰ端子に入力すれば、その間はブロック２２のプリチャージ信号発生回路やブロック２３の行アドレス発生回路を停止、すなわち、ＲＡＭ２５の読み出し動作を停止させることができる。このとき、行アドレス発生回路２３はＬＰが入力されずアドレスがインクリメントされないため、ＲＡＭ２５は表示領域の最後の４行の表示データを出力し続ける。
【０１２０】
従って、ブロック２６を除いた場合には、第１の実施形態のように、非表示行アクセス期間の信号電圧は表示領域の最後の４行の走査電極を選択している時の電圧がそのまま継続することになる。しかし、図１１のように、ブロック２６があることにより、Ｘドライバ３のＰＤ端子に図３のような非表示行アクセス期間で“Ｌ”となる信号ＰＤを入力すれば、第４の実施形態のように、非表示行アクセス期間の信号電圧は全画面オフ表示または全画面オン表示の場合の信号電圧と同じ電圧（Ｖ１又は−Ｖ１）を保つことになる。
【０１２１】
全画面に表示するデータを記憶するＲＡＭ内蔵型のドライバは、液晶表示装置の低消費電力化に効果的であるため使用されている。また、第１の実施形態にて説明したような選択電圧均等分散型のＭＬＳ駆動法においては、ＲＡＭ内蔵型ドライバにした方が液晶表示装置の構成が容易となる。これらの理由から画質向上と低消費電力化の両方を狙った液晶表示装置には、ＭＬＳ駆動法に対応したＲＡＭ内蔵型ドライバが採用され始めている。こうした液晶表示装置においては、ＲＡＭから表示データを読み出す時のプリチャージ（リフレッシュ）動作に伴う電力消費が全消費電力のかなりの部分を占めている。従って、部分表示機能により低消費電力化を追求するには、本実施形態のようなＸドライバを用いて非表示行アクセス期間におけるＲＡＭの読み出し動作を停止することが必要である。
【０１２２】
以上の実施形態では４ライン同時選択の場合のＭＬＳ駆動法について述べてきたが、同時選択ライン数は４に限定されるものではなく、２や７等々でも構わない。また、選択電圧の印加を１フレーム内で均等分散させる場合について述べてきたが、均等分散させない場合（１本の走査電極に対するフレーム内選択期間を連続した場合）にも適用可能である。なお、図１１ではＶ２端子とＶＣ端子はロジック部電源電圧端子のＶｃｃやＧＮＤと独立させているが、独立させなくても構わない。また、２値表示ではなく階調表示のできる液晶表示装置であって表示データＲＡＭが階調ビット数に対応する記憶容量を持つ場合や、複数画面分の表示データＲＡＭを内蔵して画面の切り替え表示を行うことのできる液晶表示装置の場合にも本発明を適用可能である。
【０１２３】
（第７の実施形態）
図１２は、図１における本発明の走査電極用駆動回路（Ｙドライバ２）のブロック図の例であり、第６の実施形態と同様に４ＭＬＳ駆動法に対応している。液晶駆動用出力端子数を１例として２４０とした。以下に図１２の構成と各ブロックの働きについて説明する。
【０１２４】
ブロック３２はデータラッチ信号ＬＰをクロックとしてフィールド開始信号ＣＡを順次１ビットずつ転送するシフトレジスタである。６０ビットから成り２４０行の内のどの４行に選択電圧を印加するかを指定する。ブロック３０は初期設定信号発生回路で、フレーム開始信号ＦＲＭやフィールド開始信号ＣＡが“Ｈ”レベルの時のデータラッチ信号ＬＰの立ち下がりのタイミングでシフトレジスタ３２の先頭ビットを１にセットし、残りの５９ビットを０にクリアするための信号を発生する。ブロック３１は図１１のＣｏｍパターン発生回路２４と同様に、フィールドや液晶駆動電圧極性に応じてＣｏｍパターンを発生する回路であり、ＲＯＭ等にＣｏｍパターンが記憶され、それがフレーム開始信号ＦＲＭ、フィールド開始信号ＣＡ、液晶交流駆動信号Ｍ等によりアドレスされて、液晶駆動電圧の極性に応じたＣｏｍパターンが選択出力される。Ｘドライバ３とＹドライバ２のＣｏｍパターン発生回路は兼用しても構わない。ブロック３３はシフトレジスタ３２で指定された６０ビットの選択行情報とＣｏｍパターンとから３本の駆動電圧選択信号を形成するＹドライバ用のＭＬＳデコーダである。ＭＬＳデコーダ３３からは、１行に対して３本の２４０行分の駆動電圧選択信号が出力される。駆動電圧選択信号はＶＨ、ＶＣ、ＶＬの３つの電圧からどの電圧を選択するかを指示する３本で１組の信号である。
【０１２５】
Ｄｏｎは全画面を非表示状態にするための表示制御信号であり、Ｄｏｎを“Ｌ”レベルにすると３本の選択信号の内のＶＣの選択を指示する信号だけがアクティブになる。Ｄｏｎが“Ｈ”レベルになると、選択行とＣｏｍパターンに基づき図４Ａの行列に応じて決まる走査信号電圧が３つの電圧の中から選択される。
【０１２６】
ブロック３４は駆動電圧選択信号の電圧振幅をロジック電圧（Ｖｃｃ−ＧＮＤ）から（ＶＨ−ＶＬ）に拡大するレベルシフタである。ブロック３５はＶＨ、ＶＣ、ＶＬの３つの電圧から実際に１つの電圧を選択する電圧セレクタである。電圧振幅レベルが増幅された駆動電圧選択信号により３つの電圧の供給線に接続されたスイッチの何れかを閉じ、選択された電圧を各走査電極Ｙ１〜Ｙ２４０に出力する。以上が図１２のブロック図の構成と各ブロックの働きである。
【０１２７】
部分表示状態の非表示行アドレス期間において、図３のようにクロックが停止されたデータラッチ信号ＬＰを本実施形態のＹドライバ２のＬＰ端子に入力すれば、その間のシフトレジスタ３２の動作を停止させることができる。Ｙドライバ２の消費電力は比較的小さいが、低消費電力化を追求する部分表示状態ではこのように非表示行アドレス期間にシフトレジスタ３２の動作を停止させることが好ましい。
【０１２８】
ブロック３０の初期設定信号発生回路を設けたのは、部分表示状態から全画面表示状態に移行するタイミングでの異常表示を防止するためである。このブロック３０が無い場合には部分表示状態において、たとえば図３または図７のタイミングで動作させた時にシフトレジスタ３２に１０ビット置きに“Ｈ”レベルが書き込まれる。そうなっても部分表示状態においては信号ＰＤにより１０ビットより後のビットが無視されるので問題無いが、この状態から全画面表示状態に移行した時に４０行毎に４行、全画面では２００行の内の２０行に選択電圧が同時に印加されてしまい、瞬間的に異常表示が発生することになる。なお、ブロック３０を設ける代わりにＰＤが“Ｌ”の時にシフトレジスタ３２をクリアする初期設定回路を付加して、部分表示状態から全画面表示状態への移行した時にシフトレジスタ３２内のビットが初期状態になるようにしてもよい。このように、シフトレジスタ３２には、部分表示状態から全画面表示状態への移行の際にシフトレジスタを初期設定する手段が必要である。
【０１２９】
（第８の実施形態）
図１３は、図２や図８における本発明のコントラスト調整回路１３の回路図の例である。ここに、ＲＶは可変抵抗、Ｑｂはバイポーラ・トランジスタ、ＱｎはｎチャネルＭＯＳトランジスタである。Ｑｎのゲートに入力してある信号ＰＤＨは信号ＰＤの電圧振幅をレベルシフタによってロジック電圧（Ｖｃｃ−ＧＮＤ）から（Ｖｃｃ−ＶＥＥ）に拡大した信号である。トランジスタＱｎのオン状態での抵抗値はＲＶの抵抗値に比較して無視できるほどに小さいものとする。図において、たとえば−Ｖ２は−３Ｖ、ＶＥＥは−１５Ｖ、ＶＬは−１０Ｖである。
【０１３０】
トランジスタＱｎが無ければ従来例である図１６のコントラスト調整回路部と基本的に同じである。全画面表示状態ではＰＤＨが常時“Ｈ”レベル、すなわち、Ｑｎが常時オンであり、Ｑｎの存在は抵抗値的には無視できて従来例のコントラスト調整回路と同様に機能する。可変抵抗により−Ｖ２とＶＥＥの間を分圧した電圧が取り出されてＱｂのベースに供給され、Ｑｂはベースに供給された電圧よりも０．５Ｖ前後高い電圧をエミッターからＶＬとして供給する。可変抵抗ＲＶを調整することにより最適なコントラストになる選択電圧ＶＬが得られる。部分表示状態においてもＰＤＨが“Ｈ”レベルの期間、すなわち、表示行に選択電圧が印加されている期間は同様である。
【０１３１】
部分表示状態においてＰＤＨが“Ｌ”レベルの期間、すなわち、非表示行アクセス期間はＱｎがオフしてコントラスト調整回路１３の機能が停止する。この期間はＱｂのベースとコレクタは−Ｖ２と同電位となり、Ｑｂも完全にオフする。この期間は駆動電圧形成回路４のチャージ・ポンプ回路は動作停止状態であり、選択電圧の印加も停止しているため、ＶＬ系の消費電流は０であり、ＱｂがオフしてもＶＬの電圧は保持されるので問題無い。このように非表示行アクセス期間にコントラスト調整回路４を停止することにより、コントラスト調整回路によるこの間の消費電力を０にすることができ、液晶表示装置の消費電力を低減することができる。
【０１３２】
上記実施形態ではＰＤをレベルシフトした信号ＰＤＨを必要とする例について説明したが、駆動電圧形成回路の構成を工夫すれば、レベルシフトした信号ＰＤＨではなく、直接に部分表示制御信号ＰＤを用いてコントラスト調整回路を停止することも可能である。
【０１３３】
このように第１〜第８の実施形態によれば、駆動電圧形成回路を複雑化させること無く、かつ、部分表示の行数や位置がソフト的に設定できる汎用性の高い電気光学装置を提供することが可能となる。また、部分表示時の消費電力を大幅に低減した電気光学装置を提供することが可能となる。
【０１３４】
なお、以上の各実施形態においては、非表示行アクセス期間中の信号電圧を１フィールド内で固定したり、１フレームより短い所定期間に固定したりしているが、全画面表示状態の時の液晶駆動の極性反転駆動周期における同一極性の駆動期間（極性反転駆動周期の半周期）よりも少なくとも長い期間に電圧固定されていれば低消費電力化でき、この場合、非表示行アクセス期間中にこの所定周期に応じて全画面オン表示とオフ表示の時の信号電圧で反転させるようにしてよい。例えば、全画面表示状態での液晶駆動の極性反転は、上記実施形態に示した単純マトリクス型液晶表示装置においては１１Ｈ又は１３Ｈ毎に行われるから極性反転駆動周期は２２Ｈ又は２６Ｈであり、後述するようなアクティブマトリクス型液晶表示装置においては１Ｈ又はドット期間（＝１Ｈ／水平画素数）毎に極性反転するから極性反転駆動周期は２Ｈ又は２ドット期間となる。部分表示状態での非表示領域の液晶駆動の極性反転駆動周期はこれらの全画面表示状態での周期より長くして、単純マトリクス型液晶表示装置では少なくとも１１Ｈ又は１３Ｈより長い期間に印加電圧固定し、アクティブマトリクス型液晶表示装置では少なくとも１Ｈ又はドット期間より長い期間に印加電圧固定すれば、駆動周波数が低くなって低消費電力となる。
【０１３５】
なお、以上の説明に係わる第１〜第８の実施形態は、単純マトリクス型液晶表示装置を前提として説明したが、二端子型非線形素子を画素に有するアクティブ型液晶表示装置のような電気光学装置に本発明を適用することもできる。図２２は、このようなアクティブマトリクス型液晶表示装置１の等価回路図を示す図であり、１１２は走査電極、１１３は信号電極、１１６は画素、３はＸドライバ、２はＹドライバを各々示す。各画素１１６は、走査電極１１２と信号電極１１３の間に電気的に直列接続される二端子型非線形素子１１５と液晶層１１４からなる。二端子型非線形素子１１５は、液晶層１１４との接続の順序は図と反対でも構わないが、いずれにしても薄膜ダイオードのように二端子間の印加電圧に応じて電流特性が非線形性を有することを利用したスイッチング素子として用いられる。液晶表示パネルの構成としては、一方の基板上に二端子型非線形素子及び画素電極と、走査又は信号電極の一方とを形成し、他方の基板上に画素電極と重なるように幅広の、走査又は信号電極の他方を形成して、一対の基板間に液晶層を挟持してなる。このようなアクティブマトリクス型液晶表示パネルにおいても、上記各実施形態と同様な駆動方法によって、部分表示を行うことができる。なお、アクティブマトリクス型液晶表示パネルの場合は、各画素にスイッチング素子を配置して電圧を保持した駆動方法となるため、全画面表示状態から部分表示状態に移行する際には、後述するように、移行時に非表示領域の画素にオフ表示の電圧を書き込んでから部分表示状態に移行することが好ましい。
【０１３６】
（第９の実施形態）
本実施形態は、部分表示状態において違和感の無い表示を実現するものである。図１４は本発明の液晶表示装置における部分表示状態を説明するための図である。１はノーマリーホワイト型の液晶表示パネルであり、たとえば２４０行×３２０列の画素（ドット）を表示できるものとする。必要な場合には全画面を表示状態にすることができるが、待機時には全画面中の一部分（たとえば図１４のように上４０行だけ）を表示状態（表示領域Ｄ）とし、残りの領域を非表示状態（非表示領域）にすることができる。ノーマリーホワイト型であるため、非表示領域は白表示となる。
【０１３７】
液晶表示パネルの構成は、第１〜第８の実施形態と同様であって、一対の基板間に液晶を挟持し、基板内面に液晶層に電圧印加する電極を有しており、基板の外面側に必要に応じて偏光素子を配置してなる。偏光素子の透過軸の設定は、液晶の種類によって異なるが、周知のように液晶へ印加する実効電圧が液晶の閾値電圧より低い場合に白表示となるように行われる。なお、偏光素子としては、偏光板に限らず例えばビームスプリッタのように特定の偏光軸の光を透過する偏光素子であれば構わない。液晶は、液晶分子がねじれ配向したタイプ（ＴＮ型、ＳＴＮ型など）、ホメオトロピック配向したタイプ、垂直配向したタイプや、強誘電などのメモリー型など、種々用いることができる。また、高分子分散型液晶のように光散乱型の液晶でもよく、その場合には、偏光素子を無くし液晶分子の配向がノーマリーホワイト型となるように設定される。さらに、ノーマリーブラック型の液晶表示パネルの場合と同等以上のコントラストが必要な場合には、一対の基板の一方の内面上のドット間に遮光層（隣接する画素の開口部の間の遮光枠）を設ければよい。
【０１３８】
また、液晶表示パネル１を反射型にする場合には、一方の基板の外側に反射板を配置する、あるいは一方の基板内面に反射電極や反射層を形成する、などの反射部材を配置する構成にし、液晶へ印加する実効電圧を閾値電圧より低いオフ電圧以下にした場合に上記の反射部材で入射光を反射するように液晶分子の配向軸と偏光素子の透過軸とを設定すればよい。なお、ＳＴＮ液晶を用いた液晶表示パネルの場合、偏光素子との間に位相差板を配置することが多いので、その場合は位相差板を考慮して上記透過軸は設定される。半透過型にする場合には、液晶表示パネルを照明する照明装置を有し、照明装置の点灯時には液晶表示パネル１を透過型として用い、照明装置の非点灯時には反射型として用いる。半透過型にするための構成は、種々考えられるが、一方の基板の外側に、半透過板を配置したり、所定の偏光軸成分の光を透過しそれとほぼ直交する偏光軸成分の光を反射する反射偏光板を配置したりする方法や、一方の基板内面に形成する電極を光を半透過する構造（たとえば穴を開けるなど）とする方法などが考えられる。
【０１３９】
また、液晶表示パネル１をカラー化する場合には、反射型や半透過型の場合、基板内面にカラーフィルタを形成する、あるいは半透過型の場合、照明装置の発光する３色を時系列で切り替える、などの方法が考えられる。
【０１４０】
液晶表示パネル１が部分表示状態において、非表示領域の液晶には閾値電圧より低く設定されたオフ電圧以下の実効電圧を印加する。先に述べたように液晶表示パネル１はノーマリーホワイト型であるので、それにより、非表示領域は図示したように白表示となり、表示領域Ｄでは白表示の背景上に表示内容に応じた中間階調表示や黒表示の画像が表示されるので、違和感の無い部分表示画面となる。
【０１４１】
なお、液晶表示パネル１の構造としては上記構造の他に、図２２に説明したような二端子型非線形素子を画素に配置したアクティブマトリクス型液晶表示パネルや、図２３に示すような、一方の基板に走査電極と信号電極の両方がマトリクス状に形成され、各画素毎にトランジスタが形成されたアクティブマトリクス型液晶表示パネルでも構わない。
【０１４２】
非表示領域の液晶にオフ電圧以下の実効電圧を印加する方法を、以下に説明する。
【０１４３】
図１５に本発明による液晶表示装置の構成例を示す。１はノーマリーホワイト型の液晶表示パネルであり、複数の走査電極を形成した基板と複数の信号電極を形成した基板とが数μｍの間隔で対向して配置され、その間隙には先に例示したような液晶が封入され、走査電極と信号電極の交差に応じてマトリクス状に配置される画素（ドット）の液晶に、表示データに応じた電界を印加して表示画面を形成している。例として全画面で２４０行×３２０列のドットが表示でき、たとえば左上にある斜線部Ｄの４０行×１６０列が部分表示している領域とし、それ以外の領域は非表示状態になっているものとする。選択期間中の走査電極には選択電圧が印加され、その走査電極と交差する信号電極に印加されたオン電圧又はオフ電圧（さらに必要に応じてその中間電圧）が上記交差部の液晶に印加され、その部分の液晶分子の配向状態が印加するオン電圧とオフ電圧で変化し、これにより表示がなされる。なお、非選択期間中の走査電極には非選択電圧が印加される。
【０１４４】
次に、ブロック２は複数の走査電極に選択的に選択電圧や非選択電圧を印加するＹドライバであり、ブロック３は表示データＤｎに応じた信号電圧（オン電圧やオフ電圧、さらにはその中間電圧）を信号電極に印加するＸドライバである。ブロック４の駆動電圧形成回路は液晶の駆動に必要な複数の電圧レベルを形成し、  Ｘドライバ３やＹドライバ２にそれら複数の電圧レベルを供給する。各ドライバは供給された電圧レベルの中からタイミング信号や表示データに応じて所定の電圧レベルを選択し、液晶表示パネル１の信号電極や走査電極に印加する。ブロック５はそれらの回路に必要なタイミング信号ＣＬＹ，ＦＲＭ，ＣＬＸ，ＬＰや表示データＤｎ及び制御信号ＰＤを形成するＬＣＤコントローラであり、本液晶表示装置を含んでいる電子機器のシステムバスに接続されている。ブロック６は液晶表示装置の外部にあって、本液晶表示装置に電力供給している電源である。
【０１４５】
このような本実施形態における液晶表示パネルの回路ブロックは、概ね第１〜第８の実施形態と同一であり、特に単純マトリクス型液晶表示パネルを用いた場合には、第１〜第８の実施形態と同一の駆動方法により、部分表示を行うことができる。
【０１４６】
なお、以下の駆動方法の説明では、図９や図１０にて説明したような１行毎に走査電極を選択する駆動方法を一例として用いることとするが、先の実施形態で説明したようなＭＬＳ駆動法により複数ラインの同時選択でもよい。
【０１４７】
図１６は図１５の液晶表示装置の部分表示状態におけるタイミング図の例であり、単純マトリクス方式の液晶表示パネルを対象としている。  Ｄｎはコントローラ５からＸドライバ３に転送される表示データであって、表示データが転送される期間を斜線ブロックで示してある。この斜線ブロックの部分で１表示行（走査電極）分の表示データＤｎを、コントローラ５からＸドライバ３に高速転送する。ＣＬＸは表示データＤｎをコントローラ５からＸドライバ３に転送制御する転送用のクロックである。Ｘドライバ３はシフトレジスタを内蔵し、クロックＣＬＸに同期してシフトレジスタを動作させて、１表示行分の表示データＤｎをこのシフトレジスタやラッチ回路に順次一時的に取り込む。Ｘドライバ３が図１１に示すようなＲＡＭ内蔵のドライバであれば、表示データＤｎはこのＲＡＭ２５に記憶される。
【０１４８】
次に、ＬＰはシフトレジスタやラッチ回路から表示データＤｎの１行分を一括してＸドライバ３の次段のラッチ回路にラッチするためのデータラッチ信号である。ＬＰに付いている数字はＸドライバ３のラッチ回路に取り込んだ表示データＤｎの行（走査線）番号である。つまり、Ｘドライバ３には、表示データＤｎに応じた信号電圧を出力するよりも前の選択期間において、コントローラ５から前もって表示データＤｎが転送されてくる。例えば、４０行目の表示データは、ＬＰの４０番目でラッチされるので、その前にクロックＣＬＸに応じて転送される。Ｘドライバ３はラッチ回路にラッチされた表示データＤｎに基づき、駆動電圧形成回路４から供給された複数の電圧レベル（オン電圧及びオフ電圧、必要に応じてその中間電圧）の中から選択した電圧レベルを信号電極に出力する。
【０１４９】
次に、ＣＬＹは１走査線選択期間毎の走査信号転送用クロック、ＦＲＭは１フレーム期間毎の画面走査開始信号である。Ｙドライバ２は、シフトレジスタを内蔵しており、シフトレジスタは画面走査開始信号ＦＲＭを入力して、クロックＣＬＹに応じてＦＲＭを順次転送する。Ｙドライバ２はこの転送に応じて走査電極に選択電圧（ＶＳ又はＭＶＳ）を順次出力する。ＣＬＹに付与された数字は、選択電圧が印加される走査電極の番号を示す。例えば、ＣＬＹの４０番目が入力されると、Ｙドライバ２からは４０行目の走査電極に対してＣＬＹの一周期の期間に選択電圧を印加する。なお、ＰＤはＹドライバ２を制御する部分表示制御信号である。制御信号ＰＤが“Ｈ”レベルの期間にはＹドライバ２から選択電圧（ＶＳ又はＭＶＳ）が順次走査電極に出力されるが、“Ｌ”レベルの期間になると全ての走査電極に非選択電圧（ＶＣ）が出力される。このような制御は、ＰＤに応じてＹドライバ２からの選択電圧の出力を禁止し、全出力を非選択電圧にするゲートをＹドライバ２に設けることで容易に構成できる。
【０１５０】
例として３行目の走査電極をＹ３、４３行目の走査電極をＹ４３、８０列目の信号電極をＸ８０、２４０列目の信号電極をＸ２４０として、そこに印加される電圧を図に示した。Ｙ４３とＸ２４０は各々非表示領域内の走査電極と信号電極である。なお、表示領域の８０列目の画素は４０行分すべてオン表示としてある。ここに、ＶＳとＭＶＳは各々正側と負側の選択電圧であり、ＶＸとＭＶＸは各々正側と負側の信号電圧である。ＶＳとＭＶＳはＶＣを中央電位として互いに対称であり、ＶＸとＭＶＸも同様である。選択電圧ＶＳが印加されている行のオン画素の信号電極にはＭＶＸが印加され、オフ画素の信号電極にはＶＸが印加される。また、選択電圧ＭＶＳが印加されている行のオン画素の信号電極にはＶＸが印加され、オフ画素の信号電極にはＭＶＸが印加される。
【０１５１】
ＰＤは表示領域Ｄの４０行が選択されている期間は“Ｈ”レベルであり、それ以外の期間は“Ｌ”レベルとなる。ＰＤが“Ｈ”レベルの期間はＹドライバ２は１行目から４０行目までを順次１行ずつ選択する電圧ＶＳ（ＭＶＳ）を発生して走査電極を駆動する。走査電極には複数走査電極単位毎にＶＳとＭＶＳの出力は切り替えられて、ライン反転駆動されている。選択されている１行以外の走査電極には非選択電圧ＶＣが印加される。ＰＤが“Ｌ”レベルの期間はＹドライバ２の全出力は非選択電圧レベルとなる。選択電圧が印加されない４１行目〜２４０行目の液晶に加わる実効電圧は表示領域にあるオフ画素の液晶に加わる実効電圧よりもかなり小さいので、４１行目〜２４０行目は完全に非表示状態となる。非表示領域の選択期間中は走査電極には非選択電圧レベルが印加されるが、信号電極にはＸドライバ３からＰＤに応じて所定の電圧レベル、あるいはＸドライバ３に記憶した表示データに基づいた電圧レベルを印加し続ける。ただし、非表示領域の非表示行アクセス期間の信号電圧は、ＶＣを基準として周期的に反転しながら印加されることが好ましい。例えば、１フレーム期間毎に信号電圧の極性を反転させたり、或いはそれよりも短い期間であって選択期間よりも長い期間を単位として周期的に反転させたりすることが好ましい。
【０１５２】
なお、本実施形態においては、図のＤｎ，ＣＬＸ，ＬＰに示したように、非表示行アクセス期間に対応するデータ転送は、Ｘドライバ３への表示データ転送は１行目〜４０行目に表示する分だけ行い、４１行目〜２４０行目に表示する分のデータ転送は不要であるため停止している。ここに、マトリクス型液晶表示パネルの場合、選択されているある行の表示に対応する信号電圧をＸドライバ３が出力している間に次に選択される行の表示データの転送を行う必要があるので、データを転送する期間がＰＤよりも１走査線の選択期間だけ先行するようになっている。
【０１５３】
１行目の３２０ドット分のデータ転送は前半１６０ドット分の表示データ転送と後半１６０ドット分のオフ表示データの転送とから成る。２行目〜４０行目のデータ転送は前半１６０ドット分の表示データだけの転送で、後半１６０ドット分のオフ表示データの転送は不要であるため停止している。Ｘドライバ３には１行分の表示データを記憶するラッチ回路（記憶回路）が内蔵されているため、後半１６０ドット分のデータ転送が無くてもＸドライバ３の右半分は先に転送されていたオフ表示のデータを記憶し続け、Ｘドライバ３の右半分は表示をオフする信号電圧を出力し続ける。こうして上４０行の内の右半画面の液晶には表示がオフとなる実効電圧が印加される。
【０１５４】
なお、以上の本実施形態では、説明を簡略化するために、走査電極が１行ずつ順次選択される線順次駆動を採用し、中央電位ＶＣを非選択電圧として液晶駆動電圧の極性反転周期を１フレーム期間とする駆動方法にて説明した。しかし、先の各実施形態にて説明したように、２本や４本等の複数の走査電極を単位として同時選択して単位毎に順次選択し、１フレーム期間中に同じ走査電極を複数回選択するような、いわゆるＭＬＳ駆動法を用いても構わない。
【０１５５】
以上述べたように、単純マトリクス方式の液晶表示装置において非表示領域の液晶にオフ電圧以下の実効電圧を印加するには、非表示領域が一部の走査電極に対応する場合には非表示状態とすべき領域の走査電極に非選択電圧を常時印加すればよく、また、非表示領域が一部の信号電極に対応する場合には非表示状態とすべき領域の信号電極にオフ表示となる電圧を常時印加すればよい。
【０１５６】
（第１０の実施形態）
先に述べたように第９の実施形態においては、液晶表示パネル１の構造としては上記のような単純マトリクス構造の他に、アクティブマトリクス型液晶表示装置を用いることができる。本実施形態は、液晶表示パネル１にアクティブマトリクス型液晶パネルとして、第９の実施形態と同様な駆動を行うものである。
【０１５７】
アクティブマトリクス型液晶表示パネルとしては、図２２にて説明したような、ＭＩＭと呼ばれる薄膜ダイオード等の二端子型非線形素子からなるスイッチング素子を各画素に配置するアクティブマトリクス型液晶表示パネルを用いることができる。この場合、素子基板には走査電極１１２又は信号電極１１３の一方と、それに接続された素子１１５と、素子１１５に接続された画素電極が形成され、対向する他方の基板には他方の電極が形成されることによって、走査電極１１２と信号電極１１３の間に二端子型非線形素子１１５と液晶層１１４が電気的に直列接続されるように構成されてなる。駆動方法としては、走査電極１１２に図１６のＹ３に示したような選択電圧を印加して素子１１５を導通状態とし、信号電極１１３に出力される信号電圧を液晶層１１４に書き込む。走査電極１１２に非選択電圧が印加されると素子１１５の抵抗値が上がって非導通状態となり、液晶層１１４に印加した電圧が保持される。
【０１５８】
また、図２３に示す等価回路図のような、トランジスタを画素に有するアクティブマトリクス型液晶表示パネルを液晶表示パネル１として用いてもよい。このパネルは、パネルを構成する一対の基板の一方の基板（素子基板）に、複数の走査電極１１２と複数の信号電極１１３の両方がマトリクス状に形成され、さらに、走査電極１１２と信号電極１１３との交点近傍に各画素毎にトランジスタ１１７からなるスイッチング素子が形成され、さらに画素毎にスイッチング素子に接続された画素電極が形成される。この基板と所定の間隔で対向して配置される他方の基板に、共通電位１１８に接続された共通電極を必要に応じて（共通電極は素子基板に形成する場合もある）配置して構成される。一対の基板間に挟持される液晶層は、画素電極と共通電極に挟まれた部分が各画素の液晶層１１４として画素毎に駆動される。周知のように、各画素毎に配置されるトランジスタ１１７のゲートは走査電極１１２に、ソースは信号電極１１３に、ドレインは画素電極に接続される。選択期間に印加される選択電圧に応じて導通し、導通したトランジスタ１１７を介して画素電極にデータ信号を供給する。走査電極１１２に非選択電圧が印加されるとトランジスタ１１７は非導通となる。素子基板には画素電極に接続された蓄積容量が必要に応じて接続されて、印加された電圧を蓄積保持する。なお、トランジスタ１１７は素子基板をガラス基板等の絶縁基板とした場合は薄膜トランジスタ、半導体基板とした場合はＭＯＳ型トランジスタとなる。
【０１５９】
このようなアクティブマトリクス型液晶表示装置において、表示画面内に定義する非表示領域に位置する画素の液晶にオフ電圧以下の実効電圧を印加する方法は次の通りである。
【０１６０】
図１７に示すように、全画面表示状態から部分表示状態へ切り換わる遷移期間において、少なくとも１フレーム期間（１Ｆ）には、少なくとも非表示領域の画素の液晶にはオフ電圧以下の電圧を書き込むようにする。すなわち、部分表示状態に移行した１フレーム目（図中の期間Ｔ）で非表示状態とすべき画素１１６にオフ電圧以下の電圧を書き込む。この場合、図に示すように部分制御信号ＰＤを１フレーム目における非表示領域の非表示行アクセス期間中にも“Ｈ”レベルとして、非表示領域の走査電極１１２に選択電圧を印加して各画素のスイッチング素子１１５，１１７を導通し、Ｘドライバ３から全信号電極１１３に液晶のオフ電圧以下の電圧を印加すれば、非表示領域の画素の液晶層１１４にオフ電圧以下の電圧を書き込むことができる。
【０１６１】
また、液晶がメモリー液晶の場合には、期間Ｔにおいては、全走査電極を走査するのではなく、非表示行アクセス期間にのみ制御信号ＰＤを“Ｈ”レベルに切り替え、非表示領域の走査電極のみに対して選択電圧を与え、非表示領域に対応する走査電極１１２のみを順次選択して画素のスイッチング素子を導通し、非表示領域の画素の液晶層１１４のみにオフ電圧以下の電圧を書き込むようにしてもよい。この場合、期間Ｔ中は、表示領域Ｄに対応する走査電極１１２には非選択電圧が印加され、その画素の液晶層の電圧は書き換えないことになる。
【０１６２】
次の２フレーム目以降では、非表示領域の走査電極１１２に非選択電圧を常時印加して、非表示領域の画素のスイッチング素子１１５，１１７を常時非導通状態として、画素電極に印加された電圧を部分表示状態に移行する遷移期間である１フレーム目（期間Ｔ）に画素１１６に書き込んだオフ電圧以下の電圧のままとすればよい。アクティブマトリクス方式の表示パネルでは各画素１１６は選択期間に印加された電圧を蓄積容量により保持し続けるため、こうした手順が必要である。
【０１６３】
また、図１５に示すように、部分表示状態において、表示領域Ｄと同じ行に非表示領域（図１５の表示領域Ｄの右側の非表示領域）を設ける場合や、画面の垂直方向（縦方向）のみに非表示領域を設ける場合には、走査電極に選択電圧が印加されるとしても、非表示状態とすべき領域の信号電極１１３にオフ表示となるオフ電圧以下の電圧を常時印加すればよい。そうすれば、走査電極１１２に印加された選択電圧によりスイッチング素子１１５，１１７が導通しても、その画素電極にはオフ電圧以下の電圧が印加され続け、非表示領域となる。
【０１６４】
非表示領域に位置する画素の液晶にオフ電圧以下の実効電圧を印加する上述の方法は容易な回路手段で実現することができる。また、部分表示領域Ｄが、画面の垂直方向（縦方向）に形成される場合は、部分表示状態においてコントローラ５，駆動電圧形成回路４やＸドライバ３及びＹドライバ２の多くの部分を非表示行アクセス期間中に停止させることができ、かつノーマリーホワイト型であるとオフ表示の場合は非表示領域の画素に対しては低電圧印加となるので、駆動回路の消費電力を著しく低減することができる。
【０１６５】
また、ノーマリーホワイト型であると、水平配向タイプの液晶などでは、非表示領域では液晶分子は水平配向する。液晶分子は水平配向状態では液晶の誘電率が小さいので、非表示領域における液晶による充放電電流も小さくなり、全画面表示状態の時と比べて、表示装置全体の消費電力を著しく低減することができる。
【０１６６】
以上説明したように第９及び第１０の実施形態によれば、全画面の内の一部の領域だけを表示状態とし、他の領域を非表示状態とする部分表示状態が可能な反射型あるいは半透過型の液晶表示装置において、部分表示状態の場合に違和感の無い表示を実現するとともに、消費電力を著しく低減することが可能となる。
【０１６７】
なお、上記第１〜第１０の実施形態は、液晶表示装置だけでなく、走査電極と信号電極をマトリクス状に配置して画素を構成してなる他の電気光学装置についても適用することができる。例えば、プラズマディスプレイパネル（ＰＤＰ）、エレクトロミネッセンス（ＥＬ）、フィールドエミッションデバイス（ＦＥＤ）などにも適用することができる。
【０１６８】
（電子機器の実施形態）
図２４は本発明による電子機器の外観を示す図である。２２１は携帯型の情報機器であって、携帯電話機能を内蔵しており、電池を電源としている。２２１は以上に説明したいずれかの実施形態によるマトリクス型電気光学装置又は液晶表示装置を用いた表示装置であり、必要な時には図のように全画面表示状態になるが、例えば電話の受信待ち時のような待機時には表示装置２２１の一部である２２１Ｄの表示領域だけが部分的に表示状態となる。２３０は入力手段となるペンであり、表示装置２２１の前面にタッチパネルが配置されているため、表示装置２２１の画面を見ながら、ペン２３０によりその表示部分を押すことによりスイッチ入力することができる。
【０１６９】
図２５は本発明の電子機器の部分的な回路ブロック図の例である。２２２は電子機器全体を制御するμＰＵ（マイクロ・プロセッサ・ユニット）、２２３は種々のプログラムや情報及び表示データ等を格納するメモリ、２２４は時間標準源となる水晶振動子である。水晶振動子２２４によってμＰＵ２２２は電子機器２２０内の動作クロック信号を生成して各回路ブロックに供給する。これらの回路ブロックはシステムバス２２５を介して相互に接続され、入出力装置などの他のブロックにも接続されている。またこれらの回路ブロックには電池電源６から電源供給されている。表示装置２２１には、例えば図１で示したような液晶表示パネル１、Ｙドライバ２、Ｘドライバ３、駆動電圧生成回路４、コントローラ５とが含まれている。コントローラ５の機能をμＰＵ２２２に兼ねさせても構わない。
【０１７０】
ここに、表示装置２２１として前述した実施形態による電気光学装置や液晶表示装置を用いることにより、電子機器全体の待機時の消費電力を低減した上で部分表示状態の画面に面白味や独創性を持たせることができる。
【０１７１】
さらに、表示装置を、反射型表示装置とした場合や、表示装置のバックライト照明用光源を有しながらも光源不使用時は反射型表示で光源使用時は照明光を透過して透過型表示となる半透過型表示装置とした場合には、消費電力をより抑えて電池寿命を延ばすことができるので好ましい。さらには、本発明の電子機器では、機器が操作されない状態が一定時間経過した後の待機時には、表示装置は部分表示状態となって、ドライバやコントローラでの表示装置の駆動による消費電力を抑えるので、より一層電池寿命を延ばすことができる。
【０１７２】
（産業上の利用可能性）
本発明は、例えば携帯電話などのスタンバイ時間の長い電子機器において、スタンバイ時における表示装置のモードを、必要な部分のみを表示する部分表示状態とすることにより、電子機器を低消費電力化することができるものである。
【図面の簡単な説明】
【図１】本発明の実施形態における液晶表示装置のブロック図。
【図２】本発明の実施形態で用いる駆動電圧形成回路のブロック図。
【図３】本発明の実施形態におけるタイミング図。
【図４】本発明の実施形態における液晶駆動電圧波形を説明するための図であって、Ａは選択電圧ＶＳフィールド（Ｃｏｍパターン）を示す図、ｂは表示パターンを示す図、Ｃは信号電極駆動電圧ＶＳ表示パターンを示す図である。
図中Ａにおいて、Ｙ４ｎ＋１〜Ｙ４ｎ＋４は選択されている１〜４行目を意味する（ｎ＝０，１，２，…，４９）。１はＶＨ、−１はＶＬを意味する。Ａの行列は液晶交流駆動信号Ｍが“Ｌ”の場合であり、Ｍが“Ｈ”の場合には±が逆転する。図中Ｂにおいて、ｄ１〜ｄ４は選択されている１〜４行目にある画素のオン／オフ状態を示す。オン画素を−１、オフ画素を１で表す。図中Ｃにおいて、演算結果における、０はＶＣ、±２は±Ｖ１、±４は±Ｖ２を意味する。Ｃの行列は液晶交流駆動信号Ｍが“Ｌ”の場合であり、Ｍが“Ｈ”の場合には±が逆転する。
【図５】本発明の実施形態における制御回路の部分図。
【図６】図５の回路の動作を示すタイミング図。
【図７】本発明の他の実施形態におけるタイミング図。
【図８】本発明の他の実施形態で用いる液晶駆動電圧形成回路のブロック図。
【図９】本発明の他の実施形態におけるタイミング図。
【図１０】本発明の他の実施形態におけるタイミング図。
【図１１】本発明の実施形態における信号電極用駆動回路の部分ブロック図。
【図１２】本発明の実施形態における走査電極用駆動回路のブロック図。
【図１３】本発明の実施形態におけるコントラスト調整回路の回路図。
【図１４】本発明の液晶表示装置における部分表示状態を説明するための図。
【図１５】本発明の液晶表示装置の構成例を示した図。
【図１６】図１５の液晶表示装置の動作を示すタイミング図。
【図１７】図１５の液晶表示装置における全画面表示状態から部分表示状態への移行を説明するための図。
【図１８】従来の液晶表示装置における部分表示状態を説明するための図。
【図１９】部分表示機能を有した従来の液晶表示装置のブロック図。
【図２０】図１９の液晶表示装置の駆動電圧波形図。
【図２１】図１９における駆動電圧作成回路の詳細回路図。
【図２２】二端子型非線形素子を画素に有するアクティブマトリクス型液晶表示パネルの画素の等価回路図。
【図２３】トランジスタを画素に有するアクティブマトリクス型液晶表示パネルの画素の等価回路図。
【図２４】本発明の電気光学装置や液晶表示装置を表示装置として用いた電子機器の概観図。
【図２５】本発明の電子機器の回路ブロック図。
【符号の説明】
１，５１  …  液晶表示パネル
２，５２  …  走査電極用駆動回路（Ｙドライバ）
３，５３  …  信号電極用駆動回路（Ｘドライバ）
４，５４  …  液晶駆動電圧形成回路
５，５５  …  ＬＣＤコントローラ
６，５６  …  電源
７，１７  …  昇圧／降圧用クロック形成回路
８  …  負方向６倍昇圧回路
９，２０  …  ２倍昇圧回路
１０  …  負方向２倍昇圧回路
１１，１２，１９  …  １／２降圧回路
１３，２１  …  コントラスト調整回路
１４  …  レジスタ
１５  …  部分表示制御信号形成部
１６  …  ＡＮＤゲート
１８  …  負方向８倍昇圧回路
２２  …  プリチャージ信号発生回路
２３  …  行アドレス発生回路
２４，３１  …  Ｃｏｍパターン発生回路
２５  …  表示データＲＡＭ
２６  …  読み出し表示データ制御回路
２７  …  Ｘドライバ用ＭＬＳデコーダ
２８，３４  …  レベルシフタ
２９，３５  …  電圧セレクタ
３０  …  初期設定信号発生回路
３２  …  シフトレジスタ
３３  …  Ｙドライバ用ＭＬＳデコーダ
５７  …  走査制御回路
１０７…  ノーマリーブラック型の液晶表示パネル
ＦＲＭ  …  フレーム開始信号（画面走査開始信号）
ＣＡ  …  フィールド開始信号
ＣＬＹ  …  走査信号転送用クロック
ＣＬＸ  …  データ転送用クロック
Ｄａｔａ，Ｄｎ  …  表示データ
ＬＰ，ＬＰＩ  …  データラッチ信号
ＰＤ，ＣＮＴ，ＰＤＨ  …  部分表示制御信号
Ｄｏｎ  …  表示制御信号
Ｖｃｃ  …  入力電源電圧
ＧＮＤ  …  グランド電位
ＶＥＥ  …  負側高電圧
ＶＨ  …  正側選択電圧
ＶＬ  …  負側選択電圧
ＶＣ  …  非選択電圧（中央電位）
±Ｖ１，±Ｖ２，±ＶＸ（，ＶＣ）  …  信号電圧
Ｖ０〜Ｖ５  …  液晶駆動電圧
ｆ１〜ｆ４  …  フィールド区分記号
Ｍ  …  液晶交流駆動信号
Ｘｎ  …  信号電極
Ｙ１〜Ｙ２００，Ｙ４ｎ＋１〜Ｙ４ｎ＋４  …  走査電極
ＲＶ，ＲＶ１  …  可変抵抗
Ｑｂ，Ｑ１  …  バイポーラ・トランジスタ
Ｑｎ  …  ｎチャネルＭＯＳトランジスタ
Ｒ１，Ｒ２，Ｒ３ａ，Ｒ３ｂ，Ｒ４，Ｒ５  …  抵抗
Ｓ２ａ，Ｓ２ｂ  …  スイッチ
ＯＰ１〜ＯＰ４  …  オペアンプ
Ｄ  …  部分表示領域
ＶＳ  …  正側選択電圧
ＭＶＳ  …  負側選択電圧
ＶＸ  …  正側信号電圧
ＭＶＸ  …  負側信号電圧
【図１】
0003632696.tif 000002
【図２】
0003632696.tif 000003
【図３】
0003632696.tif 000004
【図４】
0003632696.tif 000005
【図５】
0003632696.tif 000006
【図６】
0003632696.tif 000007
【図７】
0003632696.tif 000008
【図８】
0003632696.tif 000009
【図９】
0003632696.tif 000010
【図１０】
0003632696.tif 000011
【図１１】
0003632696.tif 000012
【図１２】
0003632696.tif 000013
【図１３】
0003632696.tif 000014
【図１４】
0003632696.tif 000015
【図１５】
0003632696.tif 000016
【図１６】
0003632696.tif 000017
【図１７】
0003632696.tif 000018
【図１８】
0003632696.tif 000019
【図１９】
0003632696.tif 000020
【図２０】
0003632696.tif 000021
【図２１】
0003632696.tif 000022
【図２２】
0003632696.tif 000023
【図２３】
0003632696.tif 000024
【図２４】
0003632696.tif 000025
【図２５】
0003632696.tif 000026